(57)【特許請求の範囲】
【請求項１】
交流電源を用いたＬＥＤ駆動制御装置において、
入力側が前記交流電源の出力側と連結され、直列に連結された第１及び第２ＬＥＤを有するＬＥＤアレイ；
一側が前記第１ＬＥＤの出力側と連結される抵抗及び前記抵抗の他側と直列で連結されるツェナーダイオードとを含み、他側が前記交流電源の入力側と連結される駆動制御電圧生成部；
一側が前記駆動制御電圧生成部及び前記ＬＥＤアレイと連結され、他側が前記交流電源の入力側と連結され、前記駆動制御電圧生成部で生成される電圧によって動作して、前記ＬＥＤアレイを構成する少なくとも一つ以上のＬＥＤアレイを通過した後に入力される複数の入力電流を定電流制御する駆動電流制御部；及び
前記交流電源の出力側と前記ＬＥＤアレイの入力側との間に連結され、出力側が前記ＬＥＤアレイの入力側と連結され、入力側が前記駆動制御電圧生成部及び前記駆動電流制御部と連結される整流部
を含み、
前記駆動電流制御部は、
一側が前記第２ＬＥＤの出力側と連結され、前記複数の入力電流のうちの前記第１ＬＥＤ及び前記第２ＬＥＤを通過した第１入力電流が入力される第１スイッチ、
前記第１スイッチと連結されて前記第１入力電流を定電流制御する第１電流制御部、
一側が前記第１ＬＥＤと連結され、前記複数の入力電流のうちの前記第１ＬＥＤを通過した第２入力電流が入力される第２スイッチ、及び
前記第２スイッチと連結されて前記第２入力電流を定電流制御するかあるいは前記第２スイッチをオフさせる第２電流制御部
を含み、
前記交流電源から供給される電圧が所定の電圧より高くなると、前記第２入力電流は、前記駆動制御電圧生成部及び前記第２スイッチへ入力され、前記第１及び第２スイッチは、前記駆動制御電圧生成部によって生成される電圧によってオンとなり、前記第２電流制御部は、前記第２入力電流に基づく電圧によってオンとなり、前記第２スイッチに流れる前記第２入力電流を定電流制御し、
前記交流電源から供給される電圧が前記ＬＥＤアレイの順方向電圧より高くなると、前記第１入力電流は、前記第１スイッチへ入力され、前記第１電流制御部は、前記第１入力電流に基づく電圧によってオンとなり、前記第１スイッチに流れる前記第１入力電流を定電流制御し、前記第１電流制御部がオンになったことに応じて、前記第２電流制御部は、オンとなり、前記第２スイッチをオフさせる
ＬＥＤ駆動制御装置。
【請求項２】
前記第１及び第２ＬＥＤのそれぞれは直流駆動ＬＥＤであることを特徴とする、請求項１に記載のＬＥＤ駆動制御装置。
【請求項３】
前記第１スイッチ及び前記第２スイッチはＭＯＳＦＥＴまたはトランジスタであることを特徴とする、請求項１に記載のＬＥＤ駆動制御装置。
【請求項４】
前記第１電流制御部はＭＯＳＦＥＴ、トランジスタ、またはシャントレギュレータ（ｓｈｕｎｔ  ｒｅｇｕｌａｔｏｒ）であることを特徴とする、請求項１に記載のＬＥＤ駆動制御装置。
【請求項５】
前記第２電流制御部はＭＯＳＦＥＴまたはトランジスタであることを特徴とする、請求項１に記載のＬＥＤ駆動制御装置。
【請求項６】
交流電源を用いたＬＥＤ駆動制御装置において、
入力側が前記交流電源の出力側と連結され、直列に連結された第１、第２、第３及び第４ＬＥＤを有するＬＥＤアレイ；
前記交流電源の出力側及び前記ＬＥＤアレイの入力側の間に連結される整流部；
一側が前記第１ＬＥＤの出力側と連結され、他側が前記整流部と連結され、抵抗及び前記抵抗の他側と直列に連結されるツェナーダイオードを含む駆動制御電圧生成部；及び
一側が前記駆動制御電圧生成部及び前記ＬＥＤアレイと連結され、他側が前記整流部と連結され、前記駆動制御電圧生成部で生成される電圧によって動作して、前記ＬＥＤアレイを構成する少なくとも一つ以上のＬＥＤを通過した後に入力される複数の入力電流を制御する駆動電流制御部を含み、
前記駆動電流制御部は、
一側が前記第４ＬＥＤの出力側と連結され、前記複数の入力電流のうちの前記第４ＬＥＤの出力側から入力される第１入力電流が入力される第１スイッチ、
一側が前記第３ＬＥＤの出力側と連結され、前記第１スイッチと並列で連結され、前記複数の入力電流のうちの前記第３ＬＥＤを通過した第２入力電流が入力される第２スイッチ、
一側が前記第２ＬＥＤの出力側と連結され、前記第２スイッチと並列で連結され、前記複数の入力電流のうちの前記第２ＬＥＤを通過した第３入力電流が入力される第３スイッチ、
一側が前記第１ＬＥＤの出力側と連結され、前記第３スイッチと並列で連結され、前記複数の入力電流のうちの前記第１ＬＥＤを通過した第４入力電流が入力される第４スイッチ、
前記第１スイッチと連結されて前記第１入力電流を定電流制御する第１電流制御部、
前記第２スイッチと連結されて前記第２入力電流を定電流制御する第２電流制御部、
前記第３スイッチと連結されて前記第３入力電流を定電流制御する第３電流制御部、及び
前記第４スイッチと連結されて前記第４入力電流を定電流制御する第４電流制御部
を含み、
前記交流電源から供給される電圧が第１電圧より高くなると、前記第４入力電流は、前記駆動制御電圧生成部及び前記第４スイッチへ入力され、前記第１、第２、第３及び第４スイッチは、前記駆動制御電圧生成部によって生成される電圧によってオンとなり、前記第４電流制御部は、前記第４入力電流に基づく電圧によってオンとなり、前記第４スイッチに流れる前記第４入力電流を定電流制御し、
前記交流電源から供給される電圧が第２電圧より高くなると、前記第３入力電流は、前記第３スイッチへ入力され、前記第３電流制御部は、前記第３入力電流に基づく電圧によってオンとなり、前記第３スイッチに流れる前記第３入力電流を定電流制御し、
前記交流電源から供給される電圧が第３電圧より高くなると、前記第２入力電流は、前記第２スイッチへ入力され、前記第２電流制御部は、前記第２入力電流に基づく電圧によってオンとなり、前記第２スイッチに流れる前記第２入力電流を定電流制御し、
前記交流電源から供給される電圧が前記ＬＥＤアレイの順方向電圧より高くなると、前記第１入力電流は、前記第１スイッチへ入力され、前記第１電流制御部は、前記第１入力電流に基づく電圧によってオンとなり、前記第１スイッチに流れる前記第１入力電流を定電流制御し、前記第１電流制御部がオンになったことに応じて、前記第２電流制御部、前記第３電流制御部及び前記第４電流制御部は、オンとなり、前記第２スイッチ、前記第３スイッチ及び前記第４スイッチをそれぞれオフさせる
ことを特徴とする、ＬＥＤ駆動制御装置。
【請求項７】
前記第１スイッチ、前記第２スイッチ、前記第３スイッチ、及び前記第４スイッチはＭＯＳＦＥＴまたはトランジスタであることを特徴とする、請求項６に記載のＬＥＤ駆動制御装置。
【請求項８】
前記第１電流制御部はＭＯＳＦＥＴ、トランジスタ、またはシャントレギュレータ（ｓｈｕｎｔ  ｒｅｇｕｌａｔｏｒ）であることを特徴とする、請求項６または７に記載のＬＥＤ駆動制御装置。
【請求項９】
前記第２電流制御部、前記第３電流制御部、及び前記第４電流制御部はＭＯＳＦＥＴまたはトランジスタであることを特徴とする、請求項６または７に記載のＬＥＤ駆動制御装置。
【請求項１０】
前記第１、第２、第３及び第４ＬＥＤのそれぞれは直流駆動ＬＥＤであることを特徴とする、請求項６に記載のＬＥＤ駆動制御装置。
【請求項１１】
交流電源によって駆動され、入力側が前記交流電源の出力側と連結され、直列に連結された第１及び第２ＬＥＤを有するＬＥＤアレイ、前記交流電源の出力側及び前記ＬＥＤアレイの入力側の間に連結される整流部、一側が前記第１ＬＥＤの出力側と連結され、他側が前記整流部と連結され、抵抗及び前記抵抗の他側と直列に連結されるツェナーダイオードを含む駆動制御電圧生成部及び一側が前記駆動制御電圧生成部及び前記ＬＥＤアレイと連結され、他側が前記交流電源の入力側と連結される駆動制御部を含むＬＥＤ駆動制御装置の駆動電流制御方法において、
前記駆動電流制御部は、
一側が前記第２ＬＥＤの出力側と連結され、前記複数の入力電流のうちの前記第１ＬＥＤ及び前記第２ＬＥＤを通過した第１入力電流が入力される第１スイッチ、
前記第１スイッチと連結されて前記第１入力電流を定電流制御する第１電流制御部、
一側が前記第１ＬＥＤと連結され、前記複数の入力電流のうちの前記第１ＬＥＤを通過した第２入力電流が入力される第２スイッチ、及び
前記第２スイッチと連結されて前記第２入力電流を定電流制御するかあるいは前記第２スイッチをオフさせる第２電流制御部
を含み、
前記交流電源から供給される電圧が所定の電圧より高くなると、前記第２入力電流は、前記駆動制御電圧生成部及び前記第２スイッチへ入力され、前記第１及び第２スイッチは、前記駆動制御電圧生成部によって生成される電圧によってオンとなり、前記第２電流制御部は、前記第２入力電流に基づく電圧によってオンとなり、前記第２スイッチに流れる前記第２入力電流を定電流制御し、
前記交流電源から供給される電圧が前記ＬＥＤアレイの順方向電圧より高くなると、前記第１入力電流は、前記第１スイッチへ入力され、前記第１電流制御部は、前記第１入力電流に基づく電圧によってオンとなり、前記第１スイッチに流れる前記第１入力電流を定電流制御し、前記第１電流制御部がオンになったことに応じて、前記第２電流制御部は、オンとなり、前記第２スイッチをオフさせる
を含むことを特徴とする、駆動電流制御方法。
【発明の詳細な説明】
【技術分野】
【０００１】
本発明はＬＥＤ駆動制御装置及びその駆動電流制御方法に関するものである。より詳しくは交流電源を用いて直流駆動ＬＥＤモジュールまたは交流駆動ＬＥＤモジュールを駆動させることが可能なＬＥＤ駆動制御装置及びその駆動電流制御方法に関するものである。
【背景技術】
【０００２】
一般に、ＬＥＤ（ＬＥＤ：Ｌｉｇｈｔ  Ｅｍｉｔｔｉｎｇ  Ｄｉｏｄｅ）モジュールは、ＬＥＤモジュールの駆動のために入力される電源の種類によって直流駆動ＬＥＤモジュールと交流駆動ＬＥＤモジュールに大別することができる。
【０００３】
図１は従来の交流駆動ＬＥＤモジュールの駆動回路図である。
【０００４】
図１に示したように、従来の交流ＬＥＤモジュール駆動回路１は、交流電源１０、第１ＬＥＤモジュール２０、第２ＬＥＤモジュール３０、及び抵抗４０を含む。
【０００５】
図１を参照して従来の交流ＬＥＤモジュール駆動回路１を説明すれば次のようである。まず、交流電源１０から供給される入力電圧Ｖａｃが正の方向に印加されれば（言い替えれば、交流電圧の正の半周期の間）電流はＲ１、Ｄ１、Ｄ２、〜、Ｄｎ−１、Ｄｎ、Ｄｎ＋１、Ｄｎ＋２、〜、Ｄ２ｎ−１、及びＤ２ｎの順に流れることで第１ＬＥＤモジュール２０及び第２ＬＥＤモジュール３０の駆動がなされ、交流電源１０から供給される入力電圧が負の方向に印加されれば（言い替えれば、交流電圧の負の半周期の間）電流はＲ１、Ｄ２ｎ、Ｄ、〜、Ｄｎ＋２、Ｄｎ＋１、Ｄｎ、Ｄｎ−１、〜、Ｄ２、Ｄ１の順に流れることで第１ＬＥＤモジュール２０及び第２ＬＥＤモジュール３０の駆動がなされる。
【０００６】
この際、前記電流の大きさは交流電源１０の出力側と第１ＬＥＤアレイ２０の入力側との間に連結される抵抗４０によって決定されることができる。
【０００７】
このように、従来の交流ＬＥＤモジュール駆動回路１の場合、簡単に構成することができる利点を持つ一方、第１ＬＥＤモジュール２０及び第２ＬＥＤモジュール３０に定電流を供給するためには、交流電源１０から供給される入力電圧がいつも定電圧として供給されなければならなく、入力電圧が２ｎ個のＬＥＤの順方向電圧より高くなるときから電流が流れるから、電流が流れる区間が狭くなって力率が低くなるなどの問題点があった。
【０００８】
また、抵抗４０のみを使用する従来の交流ＬＥＤモジュール駆動回路１の場合、ＬＥＤ素子の寿命と光特性を確保するための定電流駆動が非常に制限的であるので、光の揺れ現象であるフリッカー（Ｆｌｉｃｋｅｒ）現象を引き起こすことができ、温度によって変化するＬＥＤ素子の動作電圧及び順方向損失電圧を維持することができなくてＬＥＤ素子の寿命を縮まるなどの問題点があった。
【発明の概要】
【発明が解決しようとする課題】
【０００９】
本発明は前記のような問題点を解決するために案出されたもので、入力電流に対する定電流制御または定電力制御を持続的に維持することにより、高調波の抑制、力率の改善、フリッカー（ｆｌｉｃｋｅｒ）現象の防止、及びＬＥＤ及び駆動制御回路の温度上昇を防止することができるＬＥＤ駆動制御装置及びその駆動電流制御方法を提供することを目的とする。
【課題を解決するための手段】
【００１０】
本発明の好適な実施例によるＬＥＤ駆動制御装置は、交流電源を用いたＬＥＤ駆動制御装置において、入力側が前記交流電源の出力側と連結されるＬＥＤアレイ；一側が前記ＬＥＤアレイと連結される駆動制御電圧生成部；及び一側が前記駆動制御電圧生成部及び前記ＬＥＤアレイと連結され、他側が前記交流電源の入力側と連結され、前記駆動制御電圧生成部で生成される電圧によって動作して、前記ＬＥＤアレイを構成する少なくとも一つ以上のＬＥＤアレイを通過した後に入力される複数の入力電流を定電流制御する駆動電流制御部を含むことを特徴とする。
【００１１】
また、本発明の他の好適な実施例によるＬＥＤ駆動制御装置は、交流電源を用いたＬＥＤ駆動制御装置において、入力側が前記交流電源の出力側と連結されるＬＥＤアレイ；前記交流電源の入力側と前記ＬＥＤアレイの入力側との間及び前記ＬＥＤアレイの出力側と連結される整流部；一側が前記整流部の出力側と連結される駆動制御電圧生成部；及び一側が前記整流部の出力側及び前記駆動制御電源生成部と連結され、前記駆動制御電源生成部で生成される電源によって動作して、前記整流部または前記ＬＥＤアレイを構成する少なくとも一つ以上のＬＥＤアレイを通過した後に入力される複数の入力電流を定電流制御する駆動電流制御部を含むことを特徴とする。
【００１２】
また、本発明のさらに他の好適な実施例によるＬＥＤ駆動制御装置は、交流電源を用いたＬＥＤ駆動制御装置において、入力側が前記交流電源の出力側と連結されるＬＥＤアレイ；前記交流電源の出力側及び前記ＬＥＤアレイの入力側の間に連結される整流部；一側が前記ＬＥＤアレイと連結され、他側が前記整流部と連結される駆動制御電圧生成部；及び一側が前記駆動制御電圧生成部及び前記ＬＥＤアレイと連結され、他側が前記整流部と連結され、前記駆動制御電圧生成部で生成される電圧によって動作して、前記ＬＥＤアレイを構成する少なくとも一つ以上のＬＥＤを通過した後に入力される複数の入力電流を制御する駆動電流制御部を含むことを特徴とする。
【００１３】
また、本発明のさらに他の好適な実施例によるＬＥＤ駆動制御装置は、交流電源を用いたＬＥＤ駆動制御装置において、一側が前記交流電源の出力側と連結される第１ＬＥＤアレイ；一側が前記交流電源の入力側と連結される第２ＬＥＤアレイ；入力側が前記交流電源の出力側と前記第１ＬＥＤアレイの一側との間、前記交流電源の入力側と前記第２ＬＥＤアレイの一側との間、前記第１ＬＥＤアレイの他側、及び前記第２ＬＥＤアレイの他側に連結される整流部；及び入力側が前記整流部の出力側と連結され、出力側が前記整流部の入力側と連結され、前記整流部から出力された後に前記入力側に入力される複数の入力電流が選択的に前記第１ＬＥＤアレイの他側及び前記第２ＬＥＤアレイの他側に出力されるようにする駆動制御部を含むことを特徴とする。
【００１４】
また、本発明の好適な実施例による駆動制御方法は、交流電源によって駆動され、複数のＬＥＤアレイ、整流部、及び駆動制御部を含むＬＥＤ駆動制御装置の駆動電流制御方法において、（ａ）前記交流電源から供給される入力電圧の大きさ変化によって前記整流部または前記複数のＬＥＤアレイを通過した後に前記駆動制御部側に複数の入力電流を入力する段階；及び（ｂ）前記駆動制御部側に入力される前記複数の入力電流の中で少なくとも一つ以上の入力電流を選択的に前記複数のＬＥＤアレイに伝送する段階を含むことを特徴とする。
【００１５】
また、本発明の他の好適な実施例による駆動制御方法は、交流電源によって駆動されて複数のＬＥＤアレイ、整流部、及び駆動制御部を含むＬＥＤ駆動制御装置の駆動電流制御方法において、（ａ）所定の基準電流の大きさと前記交流電源から供給される入力電圧の大きさ変化によって前記整流部または前記複数のＬＥＤアレイを通過した後に前記駆動制御部に入力される複数の入力電流のそれぞれの大きさを比較する段階；（ｂ）前記比較結果によって、前記複数の入力電流の中で前記基準電流より高い少なくとも一つ以上の入力電流が感知されれば、前記感知された入力電流の大きさを減少させて前記少なくとも一つ以上の入力電流を定電流制御する段階；及び（ｃ）前記比較結果によって、前記複数の入力電流の中で前記基準電流より低い少なくとも一つ以上の入力電流が感知されれば、前記感知された入力電流の大きさを増加させて前記少なくとも一つ以上の入力電流を定電流制御する段階を含むことを特徴とする。
【００１６】
また、本発明のさらに他の好適な実施例による駆動制御方法は、交流電源によって駆動され、複数のＬＥＤアレイ、整流部、及び駆動制御部を含むＬＥＤ駆動制御装置の駆動電流制御方法において、（ａ）前記交流電源から供給される入力電圧の大きさ変化によって前記整流部または前記複数のＬＥＤアレイを通過した後に前記駆動制御部に入力される複数の入力電圧を受けてそれぞれ増幅する段階；及び（ｂ）前記増幅結果として生成される複数の比例電圧値によって、前記複数の比例電圧値に対応し、前記交流電源から供給される入力電圧の大きさ変化によって前記整流部または前記複数のＬＥＤアレイを通過した後に前記駆動制御部に入力される複数の入力電流の大きさをそれぞれ調節して定電力制御を行う段階を含むことを特徴とする。
【発明の効果】
【００１７】
本発明によれば、入力電圧が変動しても定電流または定電力の制御によってＬＥＤアレイの駆動電流を正弦波形に出力することができるので、高調波の抑制、力率の改善、フリッカー現象の最小化、及びＬＥＤアレイ及びＬＥＤ駆動制御回路の温度上昇を防止することができる効果を持つ。
【００１８】
また、ＬＥＤ駆動制御装置において回路構成の簡素化及び回路構成の簡素化による回路構成費用の節減が可能な効果を持つ。
【図面の簡単な説明】
【００１９】
【図１】従来の交流駆動ＬＥＤモジュールの駆動回路図である。
【図２】本発明の第１実施例によるＬＥＤ駆動制御装置の回路図である。
【図３】本発明の第２実施例によるＬＥＤ駆動制御装置の回路図である。
【図４】本発明の第１実施例及び第２実施例によるＬＥＤ駆動制御装置の駆動方法による電流−電圧波形についての参考図である。
【図５】本発明の第３実施例によるＬＥＤ駆動制御装置の回路図である。
【図６】本発明の第３実施例によるＬＥＤ駆動制御装置の駆動方法による電流−電圧波形についての参考図である。
【図７】本発明の第４実施例によるＬＥＤ駆動制御装置の回路図である。
【図８】本発明の第４実施例によるＬＥＤ駆動制御装置の駆動方法による電流−電圧波形についての参考図である。
【図９】本発明の第５実施例によるＬＥＤ駆動制御装置の回路図である。
【図１０】本発明の第５実施例によるＬＥＤ駆動制御装置の駆動方法による電流−電圧波形についての参考図である。
【図１１】本発明の第６実施例によるＬＥＤ駆動制御装置の回路図である。
【図１２】本発明の第６実施例によるＬＥＤ駆動制御装置の駆動方法による電流−電圧波形についての参考図である。
【図１３】本発明の第７実施例によるＬＥＤ駆動制御装置の回路図である。
【図１４】本発明の第１実施例による駆動電流制御方法についての参考回路図である。
【図１５】本発明の第１実施例による駆動電流制御方法についての参考回路図である。
【図１６】本発明の第１実施例による駆動電流制御方法による電流−電圧波形のグラフである。
【図１７】本発明の第２実施例による駆動電流制御方法についての参考回路図である。
【図１８】本発明の第２実施例による駆動電流制御方法についての参考回路図である。
【図１９】本発明の第２実施例による駆動電流制御方法による電流−電圧波形のグラフである。
【図２０】本発明の第３実施例による駆動電流制御方法についての参考回路図である。
【図２１】本発明の第３実施例による駆動電流制御方法による電流−電圧波形のグラフである。
【発明を実施するための形態】
【００２０】
以下、本発明の好適な実施例を添付図面に基づいて詳細に説明する。まず、各図面の構成要素に参照符号を付けるに当たり、同じ構成要素に対しては、たとえ他の図面に表示されていても、できるだけ同一符号を付けるようにしていることに気を付かなければならない。また、本発明の説明において、関連の公知の構成または機能についての具体的な説明が本発明の要旨をあいまいにすることができると判断される場合には、その詳細な説明は省略する。また、以下に本発明の好適な実施例を説明するが、本発明の技術的思想はこれに限定されるとか制限されなくて当業者によって実施可能であることはいうまでもない。
【００２１】
図２は本発明の第１実施例によるＬＥＤ駆動制御装置の回路図である。
【００２２】
図２に示したように、本発明の第１実施例によるＬＥＤ駆動制御装置１０ａは、交流電源２０ａ、ＬＥＤアレイ３０ａ、整流部４０ａ、駆動制御電圧生成部５０ａ、及び駆動電流制御部６０ａを含む。
【００２３】
交流電源２０ａはＬＥＤアレイ３０ａを駆動させるための電源を供給し、ＬＥＤアレイ３０ａは入力側が交流電源２０ａの出力側に連結される。
【００２４】
この際、ＬＥＤアレイ３０ａは直列で連結された複数のＬＥＤを含み、各ＬＥＤは直流によって駆動される直流駆動ＬＥＤであることができる。
【００２５】
整流部４０ａは交流電源２０ａの出力側とＬＥＤアレイ３０ａの入力側との間に連結され、より詳しくは整流部４０ａの出力側がＬＥＤＬＥＤアレイ３０ａの入力側と連結され、整流部４０ａの入力側は駆動制御電圧生成部５０ａ及び駆動電流制御部６０ａと連結され、交流電源２０ａから供給される電源を整流した後、ＬＥＤアレイ３０ａ側に出力する。
【００２６】
この際、整流部４０ａは順方向に連結されるダイオード対を複数含むことができる。
【００２７】
駆動制御電圧生成部５０ａは、一側がＬＥＤアレイ３０ａと連結され、他側が整流部４０ａと連結され、ＬＥＤアレイ３０ａを構成する一部ＬＥＤ（図２のＤ１）を通過した電流を受けて駆動電流制御部６０ａの動作のための電圧を生成する。
【００２８】
この際、駆動制御電圧生成部５０ａは、一側がＬＥＤアレイ３０ａと連結される抵抗（ＲＢ）及び抵抗（ＲＢ）の他側と直列で連結されるツェナーダイオード（ＺＤＢ）を含むことができる。
【００２９】
駆動電流制御部６０ａは、一側が駆動制御電圧生成部５０ａ及びＬＥＤアレイ３０ａと連結され、他側が交流電源２０ａの入力側と連結され、駆動制御電圧生成部５０ａで生成される電圧によって動作し、ＬＥＤアレイ３０ａを構成する少なくとも一つ以上のＬＥＤを通過した後、入力される複数の入力電流を定電流制御する。
【００３０】
この際、駆動電流制御部６０ａは、一側がＬＥＤアレイ３０ａの出力側と連結され、前記複数の入力電流の中でＬＥＤアレイ３０ａを（言い替えれば、ＬＥＤアレイ３０ａを構成するＬＥＤ（Ｄ１）及びＬＥＤ（Ｄ２）を）通過した第１入力電流が入力される第１スイッチ６２ａ、第１スイッチ６２ａと連結されて前記第１入力電流を定電流制御する第１電流制御部６４ａ、一側がＬＥＤアレイ３０ａと連結され、前記複数の入力電流の中でＬＥＤアレイ３０ａを構成する一部ＬＥＤ（Ｄ１）を通過した第２入力電流が入力される第２スイッチ６６ａ、及び第２スイッチ６６ａと連結されて前記第２入力電流を定電流制御するとかあるいは第２スイッチ６６ａをオフさせる第２電流制御部６８ａを含む。
【００３１】
また、第１スイッチ６２ａ及び第２スイッチ６６ａはＭＯＳＦＥＴまたはトランジスタであることができ、第１電流制御部６４ａはＭＯＳＦＥＴ、トランジスタ、またはシャントレギュレータ（ｓｈｕｎｔ  ｒｅｇｕｌａｔｏｒ）であることができ、第２電流制御部６８ａはＭＯＳＦＥＴまたはトランジスタであることができる。
【００３２】
図２を参照して本発明の第１実施例によるＬＥＤ駆動制御装置１０ａの動作過程を説明すれば次のようである。
【００３３】
まず、交流電源２０ａから供給される電圧が高くなってＬＥＤアレイ２０ａの全体順方向電圧の５０パーセントより高くなれば、前記第２入力電流は整流部４０ａ及びＬＥＤアレイ２０ａを構成する一部ＬＥＤ（Ｄ１）を通過した後、駆動制御電圧生成部５０ａ及び駆動電流制御部６０ａの第２スイッチ６６ａ側に入力される。
【００３４】
そして、駆動制御電圧生成部５０ａに入力された電流によって生成される電圧によって第１スイッチ６２ａ及び第２スイッチ６６ａが動作してオン状態となり、第２スイッチ６６ａ側に入力される前記第２入力電流は第２スイッチ６６ａを通過するようになる。
【００３５】
この際、前記第２入力電流は力率を改善するための補助電流の役目とともにＬＥＤアレイ３０ａの一部アレイ（Ｄ１）を駆動させてフリッカー現象を最小化する役目をすることができる。
また、第２スイッチ６６ａを通過した前記第２入力電流は第２スイッチ６６ａと連結された抵抗（Ｒｓｅｎ２）によって電圧に変わり、この電圧は抵抗（ＲＳ２）を通過した後、第２スイッチ６６ａと連結された第２電流制御部６８ａを動作させる。（言い替えれば、第２電流制御部６８ａのゲートを駆動する。）
【００３６】
この際、第２電流制御部６８ａを動作させる電圧は抵抗（ＲＳ２）と抵抗（ＲＯＦＦ２）によって決定される分配電圧であることができ、第２電流制御部６８ａの動作によって第２スイッチ６６ａのゲート電圧の大きさが調節されるので、これによって第２スイッチ６６ａに流れる前記第２入力電流は一定に制御できる。
【００３７】
ついで、交流電源２０ａから供給される電圧がＬＥＤモジュール３０ａの全体順方向電圧より高くなれば、前記第１入力電流は整流部４０ａを通過した後、ＬＥＤモジュール３０ａの出力側（言い替えれば、ＬＥＤモジュール３０ａを構成するＬＥＤ（Ｄ１）及びＬＥＤ（Ｄ２））を通過して第１スイッチ６２ａ側に入力される。
【００３８】
この際、第１スイッチ６２ａは駆動制御電圧生成部５０ａで生成された電圧によって動作してオン状態にあるので、第１スイッチ６２ａ側に入力された前記第１入力電流は第１スイッチ６２ａを通過するようになる。
【００３９】
この際、前記第１入力電流はＬＥＤアレイ３０ａを駆動させる主電流の役目をすることができる。
【００４０】
また、前記第１入力電流は第１スイッチ６２ａと直列で連結された抵抗（Ｒｓｅｎ１）によって電圧に変わり、この電圧は抵抗（ＲＳ１）を通じて第１スイッチ６２ａと連結された第１電流制御部６４ａを動作させる。（言い替えれば、第１電流制御部６４ａのゲートを駆動する。）
【００４１】
ここで、第１電流制御部６４ａを動作させる電圧は抵抗（ＲＳ１）と抵抗（ＲＧＳ１）によって決定される分配電圧であることができ、第１電流制御部６４ａの動作によって第１スイッチ６２ａのゲート電圧の大きさが調節されるので、これによって第１スイッチ６２ａに流れる前記第１入力電流は一定に制御できる。
【００４２】
そして、第１電流制御部６４ａが動作すれば、第１スイッチ６２ａと直列で連結された抵抗（Ｒｓｅｎ１）の電圧が抵抗（Ｒｏｆｆ２）を通じて第２電流制御部６８ａを動作させて（言い替えれば、第２電流制御部６８ａをオン（ｏｎ）させて）第２スイッチ６６ａをオフさせるので、第２スイッチ６２ａ側に入力される前記第２入力電流が流れないようにすることができる。
【００４３】
したがって、本発明の第１実施例によるＬＥＤ駆動制御装置１０ａによれば、駆動電流制御部６０ａの動作のための電圧を生成する駆動制御電圧生成部５０ａを抵抗５２ａ及びツェナーダイオード５４ａから構成し、ＬＥＤアレイ２０ａの一部ＬＥＤ（Ｄ１）を通過した後、第２スイッチ６６ａ側に入力される前記第２入力電流に対する定電流制御及び第２スイッチ６６ａのオフ動作を第２電流制御部６８ａが遂行するので、従来に比べて回路構成の単純化及び回路構成費用の節減が可能となる。
【００４４】
図３は本発明の第２実施例によるＬＥＤ駆動制御装置についての回路図である。
【００４５】
図３に示したように、本発明の第２実施例によるＬＥＤ駆動制御装置１０ｂは、交流電源２０ｂ、ＬＥＤアレイ３０ｂ、整流部４０ｂ、駆動制御電圧生成部５０ｂ、及び駆動電流制御部６０ｂを含む。
【００４６】
交流電源２０ｂは、ＬＥＤアレイ３０ｂを駆動させるための電源を供給し、ＬＥＤアレイ３０ｂは入力側が交流電源２０ｂの出力側と連結される。
【００４７】
この際、ＬＥＤアレイ３０ｂは逆方向に並列で連結されるＬＥＤ対３２ｂ、３４ｂを複数含み、ＬＥＤ対３２ｂ、３４ｂを構成する各ＬＥＤは交流によって駆動する交流駆動ＬＥＤであることができる。
【００４８】
整流部４０ｂは交流電源２０ｂの入力側とＬＥＤアレイ３０ｂの入力側との間及びＬＥＤアレイ３０ｂの出力側との間に連結され、交流電源２０ｂから入力される電源を整流して駆動制御電圧生成部５０ｂ及び駆動電流制御部６０ｂ側に出力するかあるいはＬＥＤアレイ３０ｂを構成する一部ＬＥＤ対（Ｄ１）を通過した電源を整流して駆動電流制御部６０ｂ側に出力する。
【００４９】
この際、整流部４０ｂは順方向に連結されるダイオード対を複数含むことができる。
【００５０】
駆動制御電圧生成部５０ｂは、一側が整流部４０ｂの出力側と連結され、他側が整流部４０ｂの入力側と連結され、交流電源２０ｂから供給された後に整流部４０ｂで整流された電流を受けて駆動電流制御部６０ｂの動作のための電圧を生成する。
【００５１】
この際、駆動制御電圧生成部５０ｂは、一側が整流部４０ｂと連結される抵抗（ＲＢ）及び抵抗（ＲＢ）の他側と直列で連結されるツェナーダイオード（ＺＤＢ）を含むことができる。
【００５２】
駆動電流制御部６０ｂは、一側が整流部４０ｂの出力側及び駆動制御電圧生成部５０ｂと連結され、駆動制御電源生成部５０ｂで生成される電圧によって動作して整流部４０ｂまたはＬＥＤアレイ３０ｂを構成する少なくとも一つ以上のＬＥＤを通過した後に入力される複数の入力電流を定電流制御する。
【００５３】
この際、駆動電流制御部６０ｂは、一側が整流部４０ｂの出力側（言い替えれば、整流部４０ｂに含まれたダイオード対ＢＤ１の出力側）と連結され、前記複数の入力電流の中でＬＥＤアレイ３０ｂを通過した第１入力電流が入力される第１スイッチ６２ｂ、第１スイッチ６２ｂと連結されて前記第１電流を定電流制御する第１電流制御部６４ｂ、一側が整流部４０ｂの出力側（言い替えれば、整流部４０ｂに含まれたダイオード対ＢＤ０の出力側）と連結され、前記複数の入力電流の中で交流電源２０ｂから供給された後に整流部４０ｂを（言い替えれば、整流部４０ｂに含まれたダイオード対ＢＤ０を）通過した第２入力電流が入力される第２スイッチ６６ｂ、及び第２スイッチ６６ｂと連結されて前記第２電流を定電流制御するかあるいは第２スイッチ６６ｂをオフさせる第２電流制御部６８ｂを含む。
【００５４】
この際、第１スイッチ６２ｂ及び第２スイッチ６６ｂはＭＯＳＦＥＴまたはトランジスタであることができ、第１電流制御部６４ｂはＭＯＳＦＥＴ、トランジスタ、またはシャントレギュレータ（ｓｈｕｎｔ  ｒｅｇｕｌａｔｏｒ）であることができ、第２電流制御部６８ｂはＭＯＳＦＥＴまたはトランジスタであることができる。
【００５５】
図３を参照して本発明の第２実施例によるＬＥＤ駆動制御装置１０ｂの動作過程を説明すれば次のようである。
【００５６】
まず、交流電源２０ａから供給される電源の正の半周期で前記電源の大きさがＬＥＤモジュール３０ｂの全体順方向電圧の５０パーセント未満の場合、整流部４０ｂのダイオード対（ＢＤ０）によって整流された後に駆動制御電圧生成部５０ｂ及び駆動電流制御部６０ｂの第２スイッチ６６ｂ側に入力される。
【００５７】
そして、駆動制御電圧生成部５０ｂに入力された電流によって生成される電圧によって第１スイッチ６２ｂ及び第２スイッチ６６ｂが動作してオン状態となり、第２スイッチ６６ｂ側に入力される前記第２入力電流は第２スイッチ６６ｂを通過するようになる。
【００５８】
この際、前記第２入力電流は力率を改善するための補助電流の役目をすることができる。
また、第２スイッチ６６ｂを通過した前記第２入力電流は第２スイッチ６６ｂと連結された抵抗（Ｒｓｅｎ２）によって電圧に変わり、この電圧は抵抗（ＲＳ２）を通過した後、第２スイッチ６６ｂと連結された第２電流制御部６８ｂを動作させる。（言い替えれば、第２電流制御部６８ｂのゲートを駆動する。）
【００５９】
この際、第２電流制御部６８ｂを動作させる電圧は抵抗（ＲＳ２）と抵抗（ＲＯＦＦ２）によって決定される分配電圧であることができ、第２電流制御部６８ｂの動作によって第２スイッチ６６ｂのゲート電圧の大きさが調節されるので、これによって第２スイッチ６６ｂに流れる前記第２入力電流は一定に制御できる。
【００６０】
ついで、前記正の半周期で交流電源２０ｂから供給される電圧の大きさが高くなってＬＥＤモジュール３０ｂの全体順方向電圧より高くなれば、前記第１入力電流はＬＥＤアレイ３０ｂを構成するＬＥＤ対（Ｄ１）の中で順方向に配置されたＬＥＤ及び整流部４０ｂ（言い替えれば、整流部４０ａのダイオード対（ＢＤ１）を通過した後に第１スイッチ６２ｂ側に入力される。
【００６１】
この際、第１スイッチ６２ｂは駆動制御電圧生成部５０ｂで生成された電圧によって動作してオン状態にあるので、第１スイッチ６２ｂ側に入力された前記第１入力電流は第１スイッチ６２ｂを通過するようになる。
【００６２】
この際、前記第１入力電流はＬＥＤアレイ３０ｂを構成するＬＥＤ対（Ｄ１、Ｄ２）の中で順方向に配置されたＬＥＤを駆動させる主電流の役目をすることができる。
【００６３】
また、前記第１入力電流は第１スイッチ６２ｂと直列で連結された抵抗（Ｒｓｅｎ１）によって電圧に変わり、この電圧は抵抗（ＲＳ１）を通じて第１スイッチ６２ｂと連結された第１電流制御部６４ｂを動作させる。（言い替えれば、第１電流制御部６４ｂのゲートを駆動する。）
【００６４】
ここで、第１電流制御部６４ｂを動作させる電圧は抵抗（ＲＳ１）と抵抗（ＲＧＳ１）によって決定される分配電圧であることができ、第１電流制御部６４ｂの動作によって第１スイッチ６２ｂのゲート電圧の大きさが調節されるので、これによって第１スイッチ６２ｂに流れる前記第１入力電流は一定に制御できる。
【００６５】
そして、第１電流制御部６４ｂが動作すれば、第１スイッチ６２ｂと直列で連結された抵抗（Ｒｓｅｎ１）の電圧が抵抗（Ｒｏｆｆ２）を通じて第２電流制御部６８ｂを動作させて（言い替えれば、第２電流制御部６８ｂをオン（ｏｎ）させて）第２スイッチ６６ｂをオフさせるので、第２スイッチ６６ｂ側に入力される前記第２入力電流が流れないようにすることができる。
【００６６】
したがって、本発明の第２実施例によるＬＥＤ駆動制御装置１０ｂによれば、駆動電流制御部６０ｂの動作のための電圧を生成する駆動制御電圧生成部５０ｂを抵抗５２ｂ及びツェナーダイオード５４ｂから構成し、整流部４０ｂのダイオード対（ＢＤ０）を通過した後に第２スイッチ６６ｂに入力される前記第２入力電流に対する定電流制御及び第２スイッチ６６ｂのオフ動作を第２電流制御部６８ｂが遂行するので、従来に比べて回路構成の単純化及び回路構成費用の節減が可能となる。
【００６７】
また、本発明の第２実施例によるＬＥＤ駆動制御装置１０ｂの場合、図３では逆方向に並列で連結される二つのＬＥＤ対３２ｂ、３４ｂを含むＬＥＤアレイ３０ｂ、三つのダイオード対を含む整流部４０ｂ、及び二つのスイッチ及び二つの電流制御部を含む駆動電流制御部６０ｂから構成される２段構成のみが示されているが、本発明の第２実施例によるＬＥＤ駆動制御装置１０ｂの構成はこれに限定されるものではなく、ＬＥＤアレイ３０ｂを構成する逆方向に並列で連結されるＬＥＤ対の数、整流部４０ｂを構成するダイオード対の数、及び駆動電流制御部６０ｂを構成するスイッチ及び電流制御部の数を増加させて３段または４段に構成することが可能である。
【００６８】
図４は本発明の第１実施例及び第２実施例によるＬＥＤ駆動制御装置の駆動方法による電流−電圧波形についての参考図である。
【００６９】
図４の（ａ）に示したように、交流電源２０ａから供給される正の値を持つ交流電圧の大きさがＬＥＤアレイ２０ｂの全体順方向電圧の大きさの５０パーセント（０．５＊ｎ＊ＶＦ）となれば、第２スイッチ６６ａ及び第２電流制御部６８ａの動作によって定電流制御された前記第２入力電流（ｉＱ２）がＬＥＤアレイ２０ａに供給されることができ、交流電圧の大きさがＬＥＤアレイ２０ｂの全体順方向電圧の大きさ（ｎ＊ＶＦ）より高くなれば、第１スイッチ６２ａ及び第１電流制御部６４ａの動作によって定電流制御された前記第１入力電流（ｉＱ１）がＬＥＤアレイ２０ａに供給されることができ、定電流制御された前記第１入力電流（ｉＱ１）がＬＥＤアレイ２０ａに供給されるときに第２電流制御部６８ａの動作によって第２スイッチ６６ａがオフ状態となることができる。
【００７０】
したがって、交流電源２０ａから供給された後にＬＥＤアレイ３０ａを駆動させる入力電流（Ｉａｃ）は前記第１入力電流（ｉＱ１）及び前記第２入力電流（ｉＱ２）の垂直合算によって２−レベル構造を持つようになるので（言い替えれば、２段構造を持つようになるので）図４の（ｂ）に示したように、入力電圧変動にも定電流を維持し、高調波の抑制と力率の改善が可能な正弦波形を持つことができるようになる。
【００７１】
また、前記のように前記第２入力整流がＬＥＤアレイ２０ａに供給される条件で提示される交流電源２０ａから供給される正の電圧の大きさの割合（言い替えれば、ＬＥＤアレイ２０ａの全体順方向電圧の大きさの５０パーセント）は前記第１入力電流及び前記第２入力電流の垂直合算によって入力電流が２−レベル構造を持つようにするための実施例の一つであるばかり、前記割合はこれに限定されるものではなく必要によって調節可能である。（例えば、４０パーセントまたは６０パーセントなど）
【００７２】
また、本発明の第２実施例によるＬＥＤ駆動制御装置１０ｂの場合、交流電源２０ｂから供給される入力電圧の変動にもかかわらずＬＥＤアレイ３０ｂを駆動させる入力電流は前記第１入力電流（ｉＱ１）及び前記第２入力電流（ｉＱ２）の垂直合算によって定電流制御状態を維持し、高調波の抑制と力率の改善が可能な正弦波形を持つことができるようになる。
【００７３】
図５は本発明の第３実施例によるＬＥＤ駆動制御装置の回路図である。
【００７４】
図５に示したように、本発明の第３実施例によるＬＥＤ駆動制御装置１０ａは、交流電源２０ａ、ＬＥＤアレイ３０ａ、整流部４０ａ、駆動制御電圧生成部５０ａ、及び駆動電流制御部６０ａを含む。
【００７５】
交流電源２０ａはＬＥＤアレイ３０ａを駆動させるための電源を供給し、ＬＥＤアレイ３０ａは入力側が交流電源２０ａの出力側と連結される。
【００７６】
この際、ＬＥＤアレイ３０ａは直列で連結された複数のＬＥＤを含み、各ＬＥＤは直流によって駆動される直流駆動ＬＥＤであることができる。
【００７７】
整流部４０ａは交流電源２０ａの出力側及びＬＥＤアレイ３０ａの入力側の間に連結され、より詳しくは整流部４０ａの出力側がＬＥＤアレイ３０ａの入力側と連結され、整流部４０ａの入力側は駆動制御電圧生成部５０ａ及び駆動電流制御部６０ａと連結され、交流電源２０ａから供給される電源を整流した後にＬＥＤアレイ３０ａ側に出力する。
【００７８】
この際、整流部４０ａは順方向に連結されるダイオード対を複数含むことができる。
【００７９】
駆動制御電圧生成部５０ａは、一側がＬＥＤアレイ３０ａと連結され、他側が整流部４０ａと連結され、ＬＥＤアレイ３０ａの一部ＬＥＤ（図３のＤ１）を通過した電流を受けて駆動電流制御部６０ａの動作のための電圧を生成する。
【００８０】
この際、駆動制御電圧生成部５０ａは、一側がＬＥＤアレイ３０ａと連結される抵抗（ＲＢ）及び抵抗（ＲＢ）の他側と直列で連結されるツェナーダイオード（ＺＤＢ）を含むことができる。
【００８１】
駆動電流制御部６０ａは、一側が駆動制御電圧生成部５０ａ及びＬＥＤアレイ３０ａと連結され、他側が整流部４０ａの入力側と連結され、駆動制御電圧生成部５０ａで生成される電圧によって動作し、ＬＥＤアレイ３０ａを構成する少なくとも一つ以上のＬＥＤを通過した後に入力される複数の入力電流を定電流制御する。
【００８２】
この際、駆動電流制御部６０ａは、一側がＬＥＤアレイ３０ａの出力側と連結され、前記複数の入力電流の中でＬＥＤアレイ３０ａの出力側から入力される第１入力電流（ｉＱ１）が入力される第１スイッチ６１ａ、第１スイッチ６１ａと連結されて前記第１入力電流を定電流制御する第１電流制御部６２ａ、一側がＬＥＤアレイ３０ａと連結され、前記複数の入力電流の中でＬＥＤアレイ３０ａを構成する一部ＬＥＤ（Ｄ１〜Ｄ３）を通過した第２入力電流（ｉＱ２）が入力される第２スイッチ６３ａ、第２スイッチ６３ａと連結されて前記第２入力電流を定電流制御する第２電流制御部６４ａ、一側がＬＥＤアレイ３０ａと連結され、前記複数の入力電流の中でＬＥＤアレイ３０ａを構成する一部ＬＥＤ（Ｄ１及びＤ２）を通過した第３入力電流（ｉＱ３）が入力される第３スイッチ６５ａ、第３スイッチ６５ａと連結されて前記第３入力電流を定電流制御する第３電流制御部６６ａ、一側がＬＥＤアレイ３０ａと連結され、前記複数の入力電流の中でＬＥＤアレイ３０ａを構成する一部ＬＥＤ（Ｄ１）を通過した第４入力電流（ｉＱ４）が入力される第４スイッチ６７ａ、及び第４スイッチ６７ａと連結されて前記第４入力電流を定電流制御する第３電流制御部６８ａを含む。
【００８３】
この際、第１電流制御部６２ａは、前記第１入力電流が第１スイッチ６１ａ側に入力されれば、第２スイッチ６３ａ、第３スイッチ６５ａ、及び第４スイッチ６７ａをオフさせることができる。
【００８４】
また、第１スイッチ６１ａ、第２スイッチ６３ａ、第３スイッチ６５ａ、及び第４スイッチ６７ａはＭＯＳＦＥＴまたはトランジスタであることができ、第１電流制御部６２ａはＭＯＳＦＥＴ、トランジスタ、またはシャントレギュレータ（ｓｈｕｎｔ  ｒｅｇｕｌａｔｏｒ）であることができ、第２電流制御部６４ａ、第３電流制御部６６ａ、及び第４電流制御部６８ａはＭＯＳＦＥＴまたはトランジスタであることができる。
【００８５】
図５を参照して本発明の第３実施例によるＬＥＤ駆動制御装置１０ａの動作過程を説明すれば次のようである。
【００８６】
まず、交流電源２０ａから供給される正の電圧が高くなってＬＥＤアレイ２０ａの全体順方向電圧の２５パーセントより高くなれば、前記第４入力電流はＬＥＤアレイ３０ａを構成する一部ＬＥＤ（Ｄ１）を通過した後に駆動制御電圧生成部５０ａ及び駆動電流制御部６０ａの第４スイッチ６７ａ側に入力される。
【００８７】
そして、駆動制御電圧生成部５０ａに入力された電流によって生成される電圧によって第１スイッチ６１ａ、第２スイッチ６３ａ、第３スイッチ６５ａ、及び第４スイッチ６７ａが動作してオン状態となり、第４スイッチ６７ａ側に入力される前記第４入力電流は第４スイッチ６７ａを通過するようになる。
【００８８】
この際、前記第４入力電流は力率を改善するための補助電流の役目とともにＬＥＤアレイ３０ａを構成する一部ＬＥＤ（Ｄ１）を駆動させてフリッカー現象を最小化する役目をすることができる。
また、第４スイッチ６７ａを通過した前記第４入力電流は第４スイッチ６７ａと連結された抵抗（Ｒｓｅｎ４）によって電圧に変わり、この電圧は抵抗（ＲＳ４）を通過した後に第４スイッチ６７ａと連結された第４電流制御部６８ａを動作させる。（言い替えれば、第４電流制御部６８ａのゲートを駆動する。）
【００８９】
この際、第４電流制御部６８ａを動作させる電圧は抵抗（ＲＳ４）と抵抗（ＲＯＦＦ４）によって決定される分配電圧であることができ、第４電流制御部６８ａの動作によって第４スイッチ６７ａのゲート電圧の大きさが調節されるので、これによって第４スイッチ６７ａに流れる電流は定電流制御されることができる。
【００９０】
ついで、交流電源２０ａから供給される電圧がＬＥＤアレイ３０ａの全体順方向電圧の５０パーセントより高くなれば、前記第３入力電流はＬＥＤアレイ３０ａを構成する一部ＬＥＤ（Ｄ１及びＤ２）を通過した後に第３スイッチ６５ａ側に入力される。
【００９１】
この際、第３スイッチ６５ａは駆動制御電圧生成部５０ａで生成された電圧によって動作してオン状態にあるので、第３スイッチ６５ａ側に入力された前記第３入力電流は第３スイッチ６５ａを通過するようになり、前記第３入力電流は力率を改善するための補助電流の役目とともにＬＥＤアレイ３０ａを構成する一部ＬＥＤ（Ｄ１及びＤ２）を駆動させてフリッカー現象を最小化する役目をすることができる。
また、前記第３入力電流は第３スイッチ６５ａと直列で連結された抵抗（Ｒｓｅｎ３）によって電圧に変わり、この電圧は抵抗（ＲＳ３）を通じて第３スイッチ６５ａと連結された第３電流制御部６６ａを動作させる。（言い替えれば、第３電流制御部６６ａのゲートを駆動する。）
【００９２】
ここで、第３電流制御部６６ａを動作させる電圧は抵抗（ＲＳ３）と抵抗（Ｒｏｆｆ３）によって決定される分配電圧であることができ、第３電流制御部６６ａの動作によって第３スイッチ６６ａのゲート電圧の大きさが調節されるので、これによって第３スイッチ６６ａに流れる電流は一定に制御できる。
【００９３】
そして、交流電源２０ａから供給される電圧がＬＥＤアレイ３０ａの全体順方向電圧の７５パーセントより高くなれば、前記第２入力電流はＬＥＤアレイ３０ａを構成する一部ＬＥＤ（Ｄ１〜Ｄ３）を通過した後に第２スイッチ６３ａ側に入力される。
【００９４】
この際、第２スイッチ６３ａは駆動制御電圧生成部５０ａで生成された電圧によって動作してオン状態にあるので、第２スイッチ６３ａ側に入力された前記第２入力電流は第２スイッチ６３ａを通過するようになり、前記第２入力電流は力率を改善するための補助電流の役目とともにＬＥＤアレイ３０ａを構成する一部ＬＥＤ（Ｄ１〜Ｄ３）を駆動させてフリッカー現象を最小化する役目をすることができる。
また、前記第２入力電流は第２スイッチ６３ａと直列で連結された抵抗（Ｒｓｅｎ２）によって電圧に変わり、この電圧は抵抗（ＲＳ２）を通じて第２スイッチ６３ａと連結された第２電流制御部６４ａを動作させる。（言い替えれば、第２電流制御部６４ａのゲートを駆動する。）
【００９５】
ここで、第２電流制御部６４ａを動作させる電圧は抵抗（Ｒｓ２）と抵抗（Ｒｏｆｆ２）によって決定される分配電圧であることができ、第２電流制御部６４ａの動作によって第２スイッチ６３ａのゲート電圧の大きさが調節されるので、これによって第２スイッチ６３ａに流れる電流は一定に制御できる。
【００９６】
そして、交流電源２０ａから供給される電圧がＬＥＤモジュール３０ａの全体順方向電圧より高くなれば、前記第１入力電流は整流部４０ａ及びＬＥＤモジュール３０ａの出力側を通過して（言い替えれば、ＬＥＤモジュール３０ａを構成するＬＥＤ（Ｄ１）〜ＬＥＤ（Ｄ４）を通過して）第１スイッチ６１ａ側に入力される。
【００９７】
この際、第１スイッチ６１ａは駆動制御電圧生成部５０ａで生成された電圧によって動作してオン状態にあるので、第１スイッチ６１ａ側に入力された前記第１入力電流は第１スイッチ６１ａを通過するようになる。
【００９８】
この際、前記第１入力電流はＬＥＤアレイ３０ａを駆動させる主電流の役目をすることができる。
【００９９】
また、前記第１入力電流は第１スイッチ６１ａと直列で連結された抵抗（Ｒｓｅｎ１）によって電圧に変わり、この電圧は抵抗（Ｒｓ１）を通じて第１スイッチ６１ａと連結された第１電流制御部６２ａを動作させる。
【０１００】
ここで、第１電流制御部６４ａを動作させる電圧は抵抗（Ｒｓ１）と抵抗（ＲＧＳ１）によって決定される分配電圧であることができ、第１電流制御部６２ａの動作によって第１スイッチ６１ａのゲート電圧の大きさが調節されるので、これによって第１スイッチ６１ａに流れる電流は一定に制御できる。
【０１０１】
そして、第１電流制御部６２ａが動作すれば、第１スイッチ６１ａと直列で連結された抵抗（Ｒｓｅｎ１）の電圧が抵抗（Ｒｏｆｆ２、Ｒｏｆｆ３、Ｒｏｆｆ４）を通じて第２電流制御部６４ａ、第３電流制御部６６ａ、及び第４電流制御部６８ａを動作させて（言い替えれば、第２電流制御部６４ａ、第３電流制御部６６ａ、及び第４電流制御部６８ａをオン（ｏｎ）させて）第２スイッチ６３ａ、第３スイッチ６５ａ、及び第４スイッチ６７ａをオフさせるので、前記第２入力電流、前記第３入力電流、及び前記第４入力電流が流れないようにすることができる。
【０１０２】
言い替えれば、第２電流制御部６４ａ、第３電流制御部６６ａ、及び第４電流制御部６８ａは前記第１入力電流が第１スイッチ６１ａ側に入力される前にはアクティブ（ａｃｔｉｖｅ）領域で動作して前記第２入力電流、前記第３入力電流、及び前記第４入力電流に対する定電流制御を遂行し、前記第１入力電流が第１スイッチ６１ａ側に入力される場合にオン（ｏｎ）状態となって第２スイッチ６３ａ、第３スイッチ６５ａ、及び第４スイッチ６７ａをオフさせる二重の役目をすることができる。
【０１０３】
したがって、本発明の第３実施例によるＬＥＤ駆動制御装置１０ａによれば、駆動電流制御部６０ａの動作のための電圧を生成する駆動制御電圧生成部５０ａを抵抗５２ａ及びツェナーダイオード５４ａから構成し、前記第２入力電流、前記第３入力電流、及び前記第４入力電流に対する定電流制御及び第２スイッチ６３ａ、第３スイッチ６５ａ、及び第４スイッチ６７ａに対するオフ動作を第２電流制御部６４ａ、第３電流制御部６６ａ、及び第４電流制御部６８ａが遂行するので、従来に比べて回路構成の単純化及び回路構成費用の節減が可能となる。
【０１０４】
図６は本発明の第３実施例によるＬＥＤ駆動制御装置の駆動方法による電流−電圧波形についての参考図である。
【０１０５】
図６の（ａ）に示したように、交流電源２０ａから供給される正の電圧の大きさがＬＥＤアレイ２０ａの全体順方向電圧の大きさの２５パーセントより高くなれば、第４スイッチ６７ａ及び第４電流制御部６８ａの動作によって定電流制御された前記第４入力電流（ｉＱ４）がＬＥＤアレイ２０ａに供給されることができ、前記正の電圧の大きさがＬＥＤアレイ２０ａの全体順方向電圧の大きさの５０パーセントより高くなれば、第３スイッチ６５ａ及び第３電流制御部６６ａの動作によって定電流制御された前記第３入力電流（ｉＱ３）がＬＥＤアレイ２０ａに供給されることができ、前記正の電圧の大きさがＬＥＤアレイ２０ａの全体順方向電圧の大きさの７５パーセントより高くなれば、第２スイッチ６３ａ及び第２電流制御部６４ａの動作によって定電流制御された前記第２入力電流（ｉＱ２）がＬＥＤアレイ２０ａに供給されることができ、前記正の電圧の大きさがＬＥＤアレイ２０ａの全体順方向電圧の大きさより高くなれば、第１スイッチ６１ａ及び第１電流制御部６２ａの動作によって定電流制御された前記第１入力電流（ｉＱ１）がＬＥＤアレイ２０ａに供給されることができる。
また、前記のように前記第２入力電流、前記第３入力電流、及び前記第４入力電流がＬＥＤアレイ２０ａに供給される条件でそれぞれ提示される交流電源２０ａから供給される正の電圧の大きさの割合（言い替えれば、ＬＥＤアレイ３０ａの全体順方向電圧の大きさの２５パーセント、５０パーセント、７５パーセント）は前記第１入力電流、前記第２入力電流、前記第３入力電流、及び前記第４入力電流の垂直及び水平合算によって４−レベル構造を持つようにするための実施例の一つであるばかり、前記割合はこれに限定されるものではなく必要によって調節可能である。（例えば、２０パーセント、４５パーセント、７０パーセントなど）
【０１０６】
また、定電流制御された前記第１入力電流（ｉＱ１）がＬＥＤアレイ２０ａに供給される場合、第１電流制御部６２ａの動作によって第２スイッチ６３ａ、第３スイッチ６５ａ、及び第４スイッチ６７ａがオフ状態となることができ、各スイッチの駆動領域は第４スイッチ６７ａ、第３スイッチ６５ａ、及び第２スイッチ６７ａの順に広いことを確認することができる。
【０１０７】
したがって、交流電源２０ａから供給された後にＬＥＤアレイ３０ａを駆動させる入力電流（Ｉａｃ）は前記第１入力電流、前記第２入力電流、前記第３入力電流、及び前記第４入力電流の垂直及び水平合算によって４−レベル構造を持つようになるので（言い替えれば、４段構造を持つようになるので）図６の（ｂ）に示したように、入力電圧変動にもかかわらず定電流を維持し、高調波の抑制と力率の改善が可能な正弦波形を持つことができるようになる。
【０１０８】
図７は本発明の第４実施例によるＬＥＤ駆動制御装置の回路図である。
【０１０９】
図７に示したように、本発明の第４実施例によるＬＥＤ駆動制御装置１０ｂは、交流電源２０ｂ、ＬＥＤアレイ３０ｂ、整流部４０ｂ、駆動制御電圧生成部５０ｂ、及び駆動電流制御部６０ｂを含む。
【０１１０】
交流電源２０ｂはＬＥＤアレイ３０ｂを駆動させるための電源を供給し、ＬＥＤアレイ３０ｂは入力側が交流電源２０ｂの出力側と連結される。
【０１１１】
この際、ＬＥＤアレイ３０ｂは直列で連結された複数のＬＥＤを含み、各ＬＥＤは直流によって駆動される直流駆動ＬＥＤであることができる。
【０１１２】
整流部４０ｂは交流電源２０ｂの出力側及びＬＥＤアレイ３０ｂの入力側の間に連結され、より詳しくは整流部４０ｂの出力側がＬＥＤアレイ３０ｂの入力側と連結され、整流部４０ｂの入力側は駆動制御電圧生成部５０ｂ及び駆動電流制御部６０ｂと連結され、交流電源２０ｂから供給される電源を整流した後にＬＥＤアレイ３０ｂ側に出力する。
【０１１３】
この際、整流部４０ｂは順方向に連結されるダイオード対を複数含むことができる。
【０１１４】
駆動制御電圧生成部５０ｂは、一側がＬＥＤアレイ３０ｂと連結され、他側が整流部４０ｂと連結され、ＬＥＤアレイ３０ｂの一部ＬＥＤ（図５のＤ１）を通過した電流を受けて駆動電流制御部６０ｂの動作のための電圧を生成する。
【０１１５】
この際、駆動制御電圧生成部５０ｂは、一側がＬＥＤアレイ３０ｂと連結される抵抗（ＲＢ）及び抵抗（ＲＢ）の他側と直列で連結されるツェナーダイオード（ＺＤＢ）を含むことができる。
【０１１６】
駆動電流制御部６０ｂは、一側が駆動制御電圧生成部５０ｂ及びＬＥＤアレイ３０ｂと連結され、他側が整流部４０ｂの入力側と連結され、駆動制御電圧生成部５０ｂで生成される電圧によって動作してＬＥＤアレイ３０ｂを構成する少なくとも一つ以上のＬＥＤを通過した後に入力される複数の入力電流を定電流制御する。
【０１１７】
この際、駆動電流制御部６０ｂは、一側がＬＥＤアレイ３０ｂの出力側と連結され、前記複数の入力電流の中でＬＥＤアレイ３０ｂの出力側から入力される第１入力電流（ｉＱ１）が入力される第１スイッチ６１ｂ、第１スイッチ６１ｂと連結されて前記第１入力電流を定電流制御する第１電流制御部６２ｂ、一側がＬＥＤアレイ３０ｂと連結され、前記複数の入力電流の中でＬＥＤアレイ３０ｂを構成する一部ＬＥＤ（Ｄ１〜Ｄ３）を通過した第２入力電流（ｉＱ２）が入力される第２スイッチ６３ｂ、第２スイッチ６３ｂと連結されて前記第２入力電流を定電流制御する第２電流制御部６４ｂ、一側がＬＥＤアレイ３０ｂと連結され、前記複数の入力電流の中でＬＥＤアレイ３０ｂを構成する一部ＬＥＤ（Ｄ１及びＤ２）を通過した第３入力電流（ｉＱ３）が入力される第３スイッチ６５ｂ、第３スイッチ６５ｂと連結されて前記第３入力電流を定電流制御する第３電流制御部６６ｂ、一側がＬＥＤアレイ３０ｂと連結され、前記複数の入力電流の中でＬＥＤアレイ３０ｂを構成する一部ＬＥＤ（Ｄ１）を通過した第４入力電流（ｉＱ４）が入力される第４スイッチ６７ｂ、及び第４スイッチ６７ｂと連結されて前記第４入力電流を定電流制御する第４電流制御部６８ｂを含む。
【０１１８】
この際、第１電流制御部６２ｂは前記第１入力電流が第１スイッチ６１ｂ側に入力されれば動作して第２スイッチ６３ｂ、第３スイッチ６５ｂ、第４スイッチ６７ｂをオフさせることができ、第２電流制御部６４ｂは前記第２入力電流が第２スイッチ６３ｂ側に入力されれば動作して第３スイッチ６５ｂ及び第４スイッチ６７ｂをオフさせることができ、第３電流制御部６６ｂは前記第３入力電流が第３スイッチ６５ｂ側に入力されれば動作して第４スイッチ６７ｂをオフさせることができる。
【０１１９】
また、第１スイッチ６１ｂ、第２スイッチ６３ｂ、第３スイッチ６５ｂ、及び第４スイッチ６７ｂはＭＯＳＦＥＴまたはトランジスタであることができ、第１電流制御部６２ｂはＭＯＳＦＥＴ、トランジスタ、またはシャントレギュレータ（ｓｈｕｎｔ  ｒｅｇｕｌａｔｏｒ）であることができ、第２電流制御部６４ｂ、第３電流制御部６６ｂ、及び第４電流制御部６８ｂはＭＯＳＦＥＴまたはトランジスタであることができる。
【０１２０】
図７を参照して本発明の第４実施例によるＬＥＤ駆動制御装置１０ｂの動作過程を説明すれば次のようである。
【０１２１】
まず、交流電源２０ｂから供給される正の電圧が高くなってＬＥＤアレイ２０ｂの全体順方向電圧の２５パーセントより高くなれば、前記第４入力電流はＬＥＤアレイ３０ｂを構成する一部ＬＥＤ（Ｄ１）を通過した後に駆動制御電圧生成部５０ｂ及び駆動電流制御部６０ｂの第４スイッチ６７ｂ側に入力される。
【０１２２】
そして、駆動制御電圧生成部５０ｂに入力された電流によって生成される電圧によって第１スイッチ６１ｂ、第２スイッチ６３ｂ、第３スイッチ６５ｂ、及び第４スイッチ６７ｂが動作してオン状態となり、第４スイッチ６７ｂ側に入力される前記第４入力電流は第４スイッチ６７ｂを通過するようになる。
【０１２３】
この際、前記第４入力電流は力率を改善するための補助電流の役目とともにＬＥＤアレイ３０ｂを構成する一部ＬＥＤ（Ｄ１）を駆動させてフリッカー現象を最小化する役目をすることができる。
また、第４スイッチ６７ｂを通過した前記第４入力電流は第４スイッチ６７ｂと連結された抵抗（Ｒｓｅｎ４）によって電圧に変わり、この電圧は抵抗（ＲＳ４）を通過した後、第４スイッチ６７ｂと連結された第４電流制御部６８ｂを動作させる。（言い替えれば、第４電流制御部６８ｂのゲートを駆動する。）
【０１２４】
この際、第４電流制御部６８ｂを動作させる電圧は抵抗（ＲＳ４）と抵抗（ＲＯＦＦ４０）によって決定される分配電圧であることができ、第４電流制御部６８ｂの動作によって第４スイッチ６７ｂのゲート電圧の大きさが調節されるので、これによって第４スイッチ６７ｂに流れる電流は定電流制御されることができる。
【０１２５】
ついで、交流電源２０ｂから供給される電圧がＬＥＤアレイ３０ｂの全体順方向電圧の５０パーセントより高くなれば、前記第３入力電流はＬＥＤアレイ３０ｂを構成する一部ＬＥＤ（Ｄ１及びＤ２）を通過した後に第３スイッチ６５ｂ側に入力される。
【０１２６】
この際、第３スイッチ６５ｂは駆動制御電圧生成部５０ｂで生成された電圧によって動作してオン状態にあるので、第３スイッチ６５ｂ側に入力された前記第３入力電流は第３スイッチ６５ｂを通過するようになり、前記第３入力電流は力率を改善するための補助電流の役目とともにＬＥＤアレイ３０ｂを構成する一部ＬＥＤ（Ｄ１及びＤ２）を駆動させてフリッカー現象を最小化する役目をすることができる。
【０１２７】
また、前記第３入力電流は第３スイッチ６５ｂと直列で連結された抵抗（Ｒｓｅｎ３）によって電圧に変わり、この電圧は抵抗（ＲＳ３）を通じて第３スイッチ６５ｂと連結された第３電流制御部６６ｂを動作させる。（言い替えれば、第３電流制御部６６ｂのゲートを駆動する。）
【０１２８】
ここで、第３電流制御部６６ｂを動作させる電圧は抵抗（ＲＳ３）と抵抗（Ｒｏｆｆ３０）によって決定される分配電圧であることができ、第３電流制御部６６ｂの動作によって第３スイッチ６６ｂのゲート電圧の大きさが調節されるので、これによって第３スイッチ６６ｂに流れる電流は一定に制御できる。
【０１２９】
また、抵抗（Ｒｓｅｎ３）に流れる電圧が抵抗（Ｒｓｅｎ３）と連結されたダイオード（Ｄ３）及び抵抗（Ｒｏｆｆ４１）を通じて第４電流制御部６８ｂを動作させて（言い替えれば、第４電流制御部６８ｂをオン（ｏｎ）させて）第４スイッチ６７ｂをオフさせるので、前記第４入力電流が流れなくなる。
【０１３０】
そして、交流電源２０ｂから供給される電圧がＬＥＤアレイ３０ｂの全体順方向電圧の７５パーセントより高くなれば、前記第２入力電流はＬＥＤモジュール３０ｂを構成する一部アレイ（Ｄ１〜Ｄ３）を通過した後に第２スイッチ６３ｂ側に入力される。
【０１３１】
この際、第２スイッチ６３ｂは駆動制御電圧生成部５０ｂで生成された電圧によって動作してオン状態にあるので、第２スイッチ６３ａ側に入力された前記第２入力電流は第２スイッチ６３ｂを通過するようになり、前記第２入力電流は力率を改善するための補助電流の役目とともにＬＥＤアレイ３０ｂを構成する一部ＬＥＤ（Ｄ１〜Ｄ３）を駆動させてフリッカー現象を最小化する役目をすることができる。
【０１３２】
また、前記第２入力電流は第２スイッチ６３ｂと直列で連結された抵抗（Ｒｓｅｎ２）によって電圧に変わり、この電圧は抵抗（Ｒｓ２）を通じて第２スイッチ６３ｂと連結された第２電流制御部６４ｂを動作させる。（言い替えれば、第２電流制御部６４ｂのゲートを駆動する。）
【０１３３】
ここで、第２電流制御部６４ｂを動作させる電圧は抵抗（Ｒｓ２）と抵抗（Ｒｏｆｆ２０）によって決定される分配電圧であることができ、第２電流制御部６４ｂの動作によって第２スイッチ６３ｂのゲート電圧の大きさが調節されるので、これによって第２スイッチ６３ｂに流れる電流は一定に制御できる。
【０１３４】
また、抵抗（Ｒｓｅｎ２）に流れる電圧が抵抗（Ｒｓｅｎ２）と連結されたダイオード（Ｄ１）及び抵抗（Ｒｏｆｆ３１）を通じて第３電流制御部６６ｂを動作させて（言い替えれば、第３電流制御部６６ｂをオン（ｏｎ）させて）第３スイッチ６５ｂがオフされるようにして前記第３入力電流が流れないようにし、抵抗（Ｒｓｅｎ２）と連結されたダイオード（Ｄ２）及び抵抗（Ｒｏｆｆ４２）を通じて第４電流制御部６８ｂを動作させて（言い替えれば、第４電流制御部６８ｂをオン（ｏｎ）させて）第４スイッチ６７ｂがオフされるようにして前記第４入力電流が流れないようにすることができる。
【０１３５】
そして、交流電源２０ｂから供給される電圧がＬＥＤモジュール３０ｂの全体順方向電圧より高くなれば、前記第１入力電流は整流部４０ｂを通過した後、ＬＥＤモジュール３０ｂの出力側（言い替えれば、ＬＥＤモジュール３０ｂを構成するＬＥＤ（Ｄ１）〜ＬＥＤ（Ｄ４））を通過して第１スイッチ６１ｂ側に入力される。
【０１３６】
この際、第１スイッチ６１ｂは駆動制御電圧生成部５０ｂで生成された電圧によって動作してオン状態にあるので、第１スイッチ６１ｂ側に入力された前記第１入力電流は第１スイッチ６１ｂを通過するようになる。
【０１３７】
この際、前記第１入力電流はＬＥＤアレイ３０ｂを駆動させる主電流の役目をすることができる。
【０１３８】
また、前記第１入力電流は第１スイッチ６１ｂと直列で連結された抵抗（Ｒｓｅｎ１）によって電圧に変わり、この電圧は抵抗（Ｒｓ１）を通じて第１スイッチ６１ｂと連結された第１電流制御部６２ｂを動作させる。（言い替えれば、第１電流制御部６２ｂのゲートを駆動する。）
【０１３９】
ここで、第１電流制御部６２ｂを動作させる電圧は抵抗（Ｒｓ１）と抵抗（ＲＧＳ１）によって決定される分配電圧であることができ、第１電流制御部６２ｂの動作によって第１スイッチ６１ｂのゲート電圧の大きさが調節されるので、これによって第１スイッチ６１ｂに流れる電流は一定に制御できる。
【０１４０】
そして、第１電流制御部６２ｂが動作すれば、第１スイッチ６１ｂと直列で連結された抵抗（Ｒｓｅｎ１）の電圧が抵抗（Ｒｏｆｆ２０、Ｒｏｆｆ３０、Ｒｏｆｆ４０）を通じて第２電流制御部６４ｂ、第３電流制御部６６ｂ、及び第４電流制御部６８ｂを動作させて（言い替えれば、第２電流制御部６４ｂ、第３電流制御部６６ｂ、及び第４電流制御部６８ｂをオン（ｏｎ）させて）第２スイッチ６３ｂ、第３スイッチ６５ｂ、及び第４スイッチ６７ｂをオフさせるので、前記第２入力電流、前記第３入力電流、及び前記第４入力電流が流れないようにすることができる。
【０１４１】
言い替えれば、第４電流制御部６８ｂは、前記第３入力電流が第３スイッチ６５ｂ側に入力される前にはアクティブ（ａｃｔｉｖｅ）領域で動作して前記第４入力電流に対する定電流制御を遂行し、前記第３入力電流が第３スイッチ６７ｂ側に入力される場合にオン（ｏｎ）状態となって第４スイッチ６７ｂをオフさせる二重の役目を遂行し、第３電流制御部６６ｂは前記第２入力電流が第２スイッチ６３ｂ側に入力される前にはアクティブ（ａｃｔｉｖｅ）領域で動作して前記第３入力電流に対する定電流制御を遂行し、前記第２入力電流が第２スイッチ６３ｂ側に入力される場合にオン（ｏｎ）状態となって第３スイッチ６７ｂをオフさせる二重の役目を遂行し、第２電流制御部６４ｂは前記第２入力電流が第２スイッチ６３ｂ側に入力される前にはアクティブ（ａｃｔｉｖｅ）領域で動作して前記第１入力電流に対する定電流制御を遂行し、前記第１入力電流が第１スイッチ６３ｂ側に入力される場合にオン（ｏｎ）状態となって第２スイッチ６３ｂをオフさせる二重の役目をすることができる。
【０１４２】
したがって、本発明の第４実施例によるＬＥＤ駆動制御装置１０ｂによれば、駆動電流制御部６０ｂの動作のための電圧を生成する駆動制御電圧生成部５０ｂを抵抗５２ｂ及びツェナーダイオード５４ｂから構成し、前記第２入力電流、前記第３入力電流、及び前記第４入力電流に対する定電流制御及び第２スイッチ６３ｂ、第３スイッチ６５ｂ、及び第４スイッチ６７ｂに対するオフ動作を第２電流制御部６４ｂ、第３電流制御部６６ｂ、及び第４電流制御部６８ｂが遂行するので、従来に比べて回路構成の単純化及び回路構成費用の節減が可能となる。
【０１４３】
図８は本発明の第４実施例によるＬＥＤ駆動制御装置の駆動方法による電流−電圧波形についての参考図である。
【０１４４】
図８の（ａ）に示したように、交流電源２０ｂから供給される正の電圧の大きさがＬＥＤアレイ２０ｂの全体順方向電圧の大きさの２５パーセントより高くなれば、第４スイッチ６７ａ及び第４電流制御部６８ｂの動作によって定電流制御された前記第４入力電流（ｉＱ４）がＬＥＤアレイ２０ｂに供給されることができ、前記正の電圧の大きさがＬＥＤアレイ２０ｂの全体順方向電圧の大きさの５０パーセントより高くなれば、第３スイッチ６５ｂ及び第３電流制御部６６ｂの動作によって定電流制御された前記第３入力電流（ｉＱ３）がＬＥＤアレイ２０ｂに供給されることができ、前記正の電圧の大きさがＬＥＤアレイ２０ｂの全体順方向電圧の大きさの７５パーセントより高くなれば、第２スイッチ６３ｂ及び第２電流制御部６４ｂの動作によって定電流制御された前記第２入力電流（ｉＱ２）がＬＥＤアレイ２０ａに供給されることができ、前記正の電圧の大きさがＬＥＤアレイ２０ｂの全体順方向電圧の大きさより高くなれば、第１スイッチ６１ｂ及び第１電流制御部６２ｂの動作によって定電流制御された前記第１入力電流（ｉＱ１）がＬＥＤアレイ２０ｂに供給されることができる。
【０１４５】
また、前記第３入力電流（ｉＱ３）が第３スイッチ６５ｂを通じてＬＥＤアレイ２０ｂに供給される場合、第３電流制御部６６ｂの動作によって第４スイッチ６８ｂがオフ状態となることができ、前記第２入力電流（ｉＱ２）が第２スイッチ６３ｂを通じてＬＥＤアレイ２０ｂに供給される場合、第２電流制御部６４ｂの動作によって第３スイッチ６６ｂ及び第４スイッチ６８ｂがオフ状態となることができ、前記第１入力電流（ｉＱ１）が第１スイッチ６１ｂを通じてＬＥＤアレイ２０ｂに供給される場合、第１電流制御部６２ｂの動作によって第２スイッチ６３ｂ、第３スイッチ６５ｂ、及び第４スイッチ６７ｂがオフ状態となることができ、第１スイッチ６１ｂ、第２スイッチ６３ｂ、第３スイッチ６５ｂ、及び第４スイッチ６７ｂのいずれも特定電圧でだけ部分的に動作することを確認することができる。
【０１４６】
したがって、交流電源２０ｂから供給された後にＬＥＤアレイ３０ｂを駆動させる入力電流（Ｉａｃ）は前記第１入力電流、前記第２入力電流、前記第３入力電流、及び前記第４入力電流の垂直合算によって４−レベル構造を持つようになるので（言い替えれば、４段構造を持つようになるので）図９の（ｂ）に示したように、入力電圧変動にもかかわらず定電流を維持し、高調波の抑制と力率の改善が可能な正弦波形を持つことができるようになる。
【０１４７】
図９は本発明の第５実施例によるＬＥＤ駆動制御装置の回路図、図１０は本発明の第５実施例によるＬＥＤ駆動制御装置の駆動方法による電流電圧波形についての参考図である。
【０１４８】
図９に示したように、本発明の第５実施例によるＬＥＤ駆動制御装置１００ａは、交流電源１１０ａ、ＬＥＤアレイ１２０ａ、整流部１３０ａ、駆動制御電圧生成部１４０ａ、及び駆動電流制御部１５０ａを含む。
【０１４９】
ここで、本発明の第５実施例によるＬＥＤ駆動制御装置１００ａの場合、ＬＥＤアレイ１２０ａを構成する少なくとも一つ以上のＬＥＤを通過する複数の入力電流を第１入力電流、第２入力電流、及び第３入力電流から構成し、前記第１入力電流、前記第２入力電流、及び前記第３入力電流の水平及び垂直合算によって３−レベル構造（言い替えれば、３段構造）を持つようにするために、駆動電流制御部１５０ａが第１スイッチ１５１ａ、第１電流制御部１５２ａ、第２スイッチ１５３ａ、第２電流制御部１５４ａ、第３スイッチ１５５ａ、及び第３電流制御部１５６ａを含む構成であり、本発明の第３実施例によるＬＥＤ駆動制御装置１００ａの詳細構成及び動作方法は本発明の第３実施例によるＬＥＤ駆動制御装置１０ａと同様であるので、これについての詳細な説明は省略する。
【０１５０】
そして、図１０に示したように、交流電源１１０ａから入力される正の電圧の大きさがＬＥＤアレイ１２０ａの全体順方向電圧の大きさの１／３より高くなる場合、第３入力電流（ｉＱ３）がＬＥＤアレイ１１０ａに供給され、前記正の電圧が大きさがＬＥＤアレイ１２０ａの全体順方向電圧の大きさの２／３より高くなる場合、第２入力電流（ｉＱ２）がＬＥＤアレイ１１０ａに供給され、前記正の電圧が大きさがＬＥＤアレイ１２０ａの全体順方向電圧の大きさより高くなる場合、第１入力電流（ｉＱ１）がＬＥＤアレイ１１０ａに供給されるので、交流電源１１０ａから供給された後にＬＥＤアレイ１２０ａを駆動させる入力電流（Ｉａｃ）は、前記第１入力電流、前記第２入力電流、及び前記第３入力電流の垂直及び水平合算によって３−レベル構造を持つようになるので（言い替えれば、３段構造を持つようになるので）図１０の（ｂ）に示したように、入力電圧変動にもかかわらず定電流を維持し、高調波の抑制と力率の改善が可能な正弦波形を持つことができるようになる。
【０１５１】
図１１は本発明の第６実施例によるＬＥＤ駆動制御装置の回路図、図１２は本発明の第６実施例によるＬＥＤ駆動制御装置の駆動方法による電流電圧波形についての参考図である。
【０１５２】
図１１に示したように、本発明の第６実施例によるＬＥＤ駆動制御装置１１０ｂは、交流電源１１０ｂ、ＬＥＤアレイ１２０ｂ、整流部１３０ｂ、駆動制御電圧生成部１４０ｂ、及び駆動電流制御部１５０ｂを含む。
【０１５３】
ここで、本発明の第６実施例によるＬＥＤ駆動制御装置１００ｂの場合、ＬＥＤアレイ１２０ｂを構成する少なくとも一つ以上のＬＥＤを通過する複数の入力電流を第１入力電流、第２入力電流、及び第３入力電流から構成し、前記第１入力電流、前記第２入力電流、及び前記第３入力電流の垂直合算によって３−レベル構造（言い替えれば、３段構造）を持つようにするために、駆動電流制御部１５０ｂが第１スイッチ１５１ｂ、第１電流制御部１５２ｂ、第２スイッチ１５３ｂ、第２電流制御部１５４ｂ、第３スイッチ１５５ｂ、及び第３電流制御部１５６ｂを含む構成であり、本発明の第６実施例によるＬＥＤ駆動制御装置１１０ｂの詳細構成及び動作方法は本発明の第３実施例によるＬＥＤ駆動制御装置１０ｂと同様であるので、これについての詳細な説明は省略する。
【０１５４】
そして、図１２に示したように、交流電源１１０ｂから入力される正の電圧の大きさがＬＥＤアレイ１２０ｂの全体順方向電圧の大きさの１／３より高くなる場合、第３入力電流（ｉＱ３）がＬＥＤアレイ１１０ｂに供給され、前記正の電圧が大きさがＬＥＤアレイ１２０ｂの全体順方向電圧の大きさの２／３より高くなる場合、第２入力電流（ｉＱ２）がＬＥＤアレイ１１０ｂに供給され、前記正の電圧が大きさがＬＥＤアレイ１２０ｂの全体順方向電圧の大きさより高くなる場合、第１入力電流（ｉＱ１）がＬＥＤアレイ１１０ｂに供給されるので、交流電源１１０ａから供給された後にＬＥＤアレイ１２０ａを駆動させる入力電流（Ｉａｃ）は前記第１入力電流、前記第２入力電流、及び前記第３入力電流の垂直合算によって３−レベル構造を持つようになるので（言い替えれば、３段構造を持つようになるので）図１２の（ｂ）に示したように、入力電圧変動にもかかわらず定電流を維持し、高調波の抑制と力率の改善が可能な正弦波形を持つことができるようになる。
【０１５５】
また、図面に示されていないが、交流駆動ＬＥＤを用いてＬＥＤアレイを逆方向に並列で連結されるＬＥＤ対を複数含むように構成した後、本発明の第３実施例〜第６実施例によるＬＥＤ駆動制御装置を構成する方式で、交流駆動ＬＥＤを用いて本発明の第３実施例〜第６実施例によるＬＥＤ駆動制御装置を具現することが可能である。
【０１５６】
図１３は本発明の第７実施例によるＬＥＤ駆動制御装置の回路図である。
【０１５７】
図１３に示したように、本発明の第７実施例によるＬＥＤ駆動制御装置１００は、交流電源１１０、第１ＬＥＤアレイ１２０、第２ＬＥＤアレイ１３０、整流部１４０、及び駆動制御部１５０を含む。
【０１５８】
交流電源１１０は、第１ＬＥＤアレイ１２０と第２ＬＥＤアレイ１３０を駆動させるための交流電源を供給する。
【０１５９】
第１ＬＥＤアレイ１２０は、一側が交流電源１１０の出力側に連結され、第２ＬＥＤアレイ１３０は、一側が交流電源１１０の入力側に連結される。
【０１６０】
この際、第１ＬＥＤアレイ１２０と第２ＬＥＤアレイ１３０はそれぞれ逆方向に並列で連結されるＬＥＤ対を少なくとも一つ以上含むことができ、図２及び図３には一つのＬＥＤ対を持つ第１ＬＥＤアレイ１２０と第２ＬＥＤアレイ１３０を示したが、第１ＬＥＤアレイ１２０と第２ＬＥＤアレイ１３０に備えられるＬＥＤ対の数はこれに限定されるものではない。
【０１６１】
整流部１４０は、入力側が交流電源１１０の出力側と第１ＬＥＤアレイ１２０の一側との間、交流電源１１０の入力側と第２ＬＥＤアレイ１３０の一側との間、第１ＬＥＤアレイ１２０の他側、及び第２ＬＥＤアレイ１３０の他側に連結され、入力電流を整流した後に出力する。
【０１６２】
この際、整流部１４０は第１ＬＥＤアレイ１２０及び第２ＬＥＤアレイ１３０をそれぞれ構成するＬＥＤ対の数によって複数が備えられ、順方向に並列で連結されるダイオード対を含むことができ、各ダイオード対の入力側は交流電源１１０の出力側と第１ＬＥＤアレイ１２０の一側との間と交流電源１１０の入力側と第２ＬＥＤアレイ１２０の一側との間（ダイオード対ＢＤ０）、第１ＬＥＤアレイ１２０の他側と第２ＬＥＤアレイ１３０の他側（ダイオード対ＢＤ１）、及び駆動制御部１５０の出力側（ダイオード対ＢＤ２）に連結されることができる。
【０１６３】
駆動制御部１５０は、入力側が整流部１４０の出力側と連結され、整流部１４０に含まれた前記複数のダイオード対から出力された後に駆動制御部１５０側に入力される複数の出力電流が選択的に第１ＬＥＤアレイ１２０と第２ＬＥＤアレイ１３０の他側に入力されて第１ＬＥＤアレイ１２０と第２ＬＥＤアレイ１３０が駆動されるように制御する。
【０１６４】
この際、駆動制御部１５０は、入力側が整流部１４０に備えられる各ダイオード対の出力側と連結され、前記各ダイオード対から出力される出力電流を第１ＬＥＤアレイ１２０の他側と第２ＬＥＤアレイ１３０の他側に出力する駆動スイッチ１５１、１５２を複数含む。
【０１６５】
また、駆動制御部１５０に複数が備えられる駆動スイッチ１５１、１５２の数は整流部１４０に備えられる前記複数のダイオード対の数によって決定できる。
【０１６６】
また、駆動制御部１５０は、入力側が整流部１４０の出力側と連結され、整流部１４０から出力される出力電流に対する定電流制御を行う定電流制御部１５５と、入力側が整流部１４０の出力側と連結され、整流部１４０から出力される出力電流に対する定電力制御を行う定電力制御部１５４とをさらに含むことができる。
【０１６７】
ここで、本発明の第７実施例によるＬＥＤ駆動制御装置１００の駆動電流制御方法、駆動電流の定電流制御方法、及び駆動電流の定電力制御方法を図１３に基づいて説明すれば次のようである。
【０１６８】
まず、本発明の第７実施例によるＬＥＤ駆動制御装置１００の駆動電流制御方法の場合、交流電源１１０から供給される入力電圧の大きさ変化によって整流部１４０のダイオード対（ＢＤ０）を通過した入力電流（ｉＤ０）が駆動スイッチ１５２側に入力された後、第１ＬＥＤアレイ１２０と整流部１４０のダイオード対（ＢＤ１）を通過した入力電流（ｉＤ１）が駆動スイッチ１５１側に入力される。
【０１６９】
この際、入力電流（ｉＤ０）と入力電流（ｉＤ１）の大きさの和を１００とすれば、駆動スイッチ１５１側に供給される入力電流（ｉＤ１）の大きさが約９５程度で、第１ＬＥＤアレイ１２０と第２ＬＥＤアレイ１３０を駆動させる主電流の役目をし、駆動スイッチ１５２側に供給される入力電流（ｉＤ０）の大きさは約５程度で、力率を改善するための補助電流の役目をするようになる。本発明の好適な実施例による交流駆動ＬＥＤ装置１の場合、入力電流（ｉＤ０）または入力電流（ｉＤ１）を用いてｎ−ｓｔｅｐの正弦波に近い電流を生成するに当たり、垂直合算方式または水平合算方式を使うようになる。
【０１７０】
まず、垂直合算方式の場合、入力電流（ｉＤ１）が駆動スイッチ１５１側に入力される場合、駆動スイッチ１５１をオンさせて入力電流（ｉＤ１）が出力されるようにし、駆動スイッチ１５２側に入力される入力電流（ｉＤ０）の場合、駆動スイッチ１５２をオフさせて入力電流（ｉＤ０）が出力されないようにする方式を用いる。
【０１７１】
この際、駆動スイッチ１５２のオフは駆動スイッチ１５２と連結された補助スイッチ１５３の動作によってなされ、言い替えれば補助スイッチ１５３がオン状態の場合、補助スイッチ１５３はオフ状態となり、補助スイッチ１５３がオフ状態の場合、駆動スイッチ１５２はオン状態となる。
【０１７２】
また、補助スイッチ１５３は、抵抗（Ｒｓｅｎ１）が主電流である入力電流（ｉＤ１）を検出し、この電圧（Ｒｓｅｎ１電圧）で動作するようになり、補助スイッチ１５３と連結された抵抗（ＲＶ）を通じて補助スイッチ１５３の駆動がなされることができる。
【０１７３】
したがって、補助スイッチ１５３と連結された抵抗（ＲＶ）の使用有無によって、本発明の好適な実施例による交流駆動ＬＥＤ装置１の場合、垂直合算方式または水平合算方式を選択的に使うことができる。
【０１７４】
このように、本発明の第７実施例によるＬＥＤ駆動制御装置１００が垂直合算方式または水平合算方式を選択的に使用する理由は、図１３には第１ＬＥＤアレイ１２０と第２ＬＥＤアレイ１３０がそれぞれ一つのＬＥＤ対を含む場合が示されているが、図１４〜図２１のように第１ＬＥＤアレイ１２０と第２ＬＥＤアレイ１３０が複数のＬＥＤ対から構成される場合、回路構成が複雑になるので、回路構成を単純にしようとする場合、水平合算方式を使うようにするためであり、回路構成が多少複雑であってもｎ−ｓｔｅｐの正弦波に近い電流を効率よく生成しようとする場合、垂直合算方式を使うようにするためである。
【０１７５】
また、駆動スイッチ１５１、１５２の動作のための駆動電源はＱＢ、ＲＢ、ＺＤＢが動作して安定した電源を作った後、ＲＢＯを通じて整流部１４０のダイオード対（ＢＤ０）と連結された駆動スイッチ１５２の駆動のための駆動電源を供給し、ＲＢ１を通じて整流部１４０のダイオード対（ＢＤ１）と連結された駆動スイッチ１５１の駆動のための駆動電源を供給する方式で供給がなされることができる。
【０１７６】
また、本発明の第７実施例によるＬＥＤ駆動制御装置１００の垂直合算方式または水平合算方式についての詳細過程は以下に図１４〜図２１を参照して説明する。
【０１７７】
また、整流部１４０のダイオード対（ＢＤ０）と連結された駆動スイッチ１５２に入力される電流（ｉＤＯ）と整流部１４０のダイオード対（ＢＤ１）と連結された駆動スイッチ１５１に入力される電流（ｉＤ１）はシャントレギュレータ（ｓｈｕｎｔ  ｒｅｇｕｌａｔｏｒ）によってそれぞれ２．５Ｖ／Ｒｓｅｎ０と２．５Ｖ／Ｒｓｅｎ１の大きさだけ制限されることができる。
【０１７８】
ついで、本発明の第７実施例によるＬＥＤ駆動制御装置１００の駆動電流定電流制御方法の場合、定電流制御部１５５に所定の基準電流（Ｉｒｅｆ）が定電流制御部１５５のＯＰ  ａｍｐ（ＯＰ１）のマイナス端子に入力され、整流部１４０のダイオード対（ＢＤ１）と連結された駆動スイッチ１５１に入力される入力電流である主電流（ｉＱ１）が検出及びフィルタリングされてＯＰ  ａｍｐ（ＯＰ１）のプラス端子に入力され、定電流制御部１５５はＯＰ  ａｍｐ（ＯＰ１）の両端子にそれぞれ入力される二つの電流（Ｉｒｅｆ、ｉＱ１）を比較する。
【０１７９】
そして、前記比較結果、前記基準電流より高い前記主電流が検出されれば、ＯＰ  ａｍｐ（ＯＰ１）の出力が上昇し、前記上昇した出力値がシャントレギュレータ（ｓｈｕｎｔ  ｒｅｇｕｌａｔｏｒ）のＲｅｆに影響を与える方式で前記主電流を減少させ、前記比較結果、前記基準電流より低い前記主電流が検出されれば、ＯＰ  ａｍｐ（ＯＰ１）の出力が減少し、前記減少した出力値がシャントレギュレータのＲｅｆに影響を与える方式で前記主電流を減少させて定電流制御を遂行することができる。
【０１８０】
また、本発明の第７実施例によるＬＥＤ駆動制御装置１００の駆動電流定電力制御方法の場合、定電力制御部１５４が整流部１４０のダイオード対（ＢＤ１）から出力される入力電圧を抵抗ＲＩＳ１とＲＩＳ２によって検出し、抵抗ＲＧ１とＲＧ２を用いてＯＰ  ａｍｐ（ＯＰ２）で増幅する方式で前記入力電圧に比例する値を得ることができる。
【０１８１】
そして、前記入力電圧に比例するＯＰ  ａｍｐ（ＯＰ１）のプラス端子に付け加わるようにすることで、実際に流れる電流が小さくてもＯＰ  ａｍｐ（ＯＰ１）の出力を同じに制御する方法によって前記入力電圧が増加するほどもっと低い電流を制御するようにして定電力制御を行う方式でなることができる。
【０１８２】
この際、本発明の第７実施例によるＬＥＤ駆動制御装置１００の場合、基本的に定電流制御部１５５による定電流制御方式で動作することができ、定電力制御部１５４のＯＰ  ａｍｐ（ＯＰ２）と定電流制御部１５５のＯＰ  ａｍｐ（ＯＰ１）のプラス端子との間に抵抗（ＲＣＰ）が挿入される場合にだけ定電力制御部１５４による定電力制御方式で動作することができる。
【０１８３】
ここで、本発明の第７実施例によるＬＥＤ駆動制御装置１００を定電流制御または定電力制御方式で駆動する理由は、先に説明したように、整流部１４０のダイオード対（ＢＤ０）と連結された駆動スイッチ１５２に入力される電流（ｉＤＯ）と整流部１４０のダイオード対（ＢＤ１）と連結された駆動スイッチ１５１に入力される電流（ｉＤ１）はシャントレギュレータ（ｓｈｕｎｔ  ｒｅｇｕｌａｔｏｒ）によってそれぞれ２．５Ｖ／Ｒｓｅｎ０と２．５Ｖ／Ｒｓｅｎ１の大きさだけ制限されるが、交流電源１１０から供給される入力電圧が増加するほど電流が流れる面積が増加するようになる。例えば、入力電圧が１０％上昇するとき、電流は５％上昇し、電力は１５．５％上昇するようになるので、これを防止するためである。
【０１８４】
また、本発明の第７実施例によるＬＥＤ駆動制御装置１００によれば、定電流制御の際、入力電圧が２００Ｖａｃ〜２６０Ｖａｃに変わっても電流は３９．９ｍＡ〜４０．２ｍＡと定電流特性を維持することができ、定電力制御の際、入力電圧が２００Ｖａｃ〜２６０Ｖａｃに変わっても入力電力は６．２Ｗ〜６．９Ｗと定電力特性を維持することができる。
【０１８５】
また、図１３には二つの駆動スイッチ１５１、１５２と一つの定電力制御部１５４及び定電流制御部１５５のみが示されているが、駆動スイッチ、定電力制御部、及び定電流制御部の数はこれに限定されなく、第１ＬＥＤアレイ１２０と第２ＬＥＤアレイ１３０を構成するＬＥＤ対の数によって決定される整流部１４０のダイオード対の数によって複数を備えることができる。
【０１８６】
また、図１３に示した本発明の第７実施例によるＬＥＤ駆動制御装置１００の定電力制御部１５４及び定電流制御部１５５の構成を図２に示した本発明の第１実施例によるＬＥＤ駆動制御装置１０ａの第１入力電流（ｉＱ１）制御、図５に示した本発明の第３実施例によるＬＥＤ駆動制御装置１０ａの第１入力電流（ｉＱ１）制御、図７に示した本発明の第４実施例によるＬＥＤ駆動制御装置１０ｂの第１入力電流（ｉＱ１）制御、図９に示した本発明の第４実施例によるＬＥＤ駆動制御装置１０ｂの第１入力電流（ｉＱ１）制御、及び図１１に示した本発明の第４実施例によるＬＥＤ駆動制御装置１０ｂの第１入力電流（ｉＱ１）制御に適用することが可能である。
【０１８７】
図１４及び図１５は本発明の第１実施例による駆動電流制御方法についての参考回路図、図１６は本発明の第１実施例による駆動電流制御方法による電流−電圧波形のグラフである。
【０１８８】
図１４〜図１６を参照して本発明の第１実施例による駆動電流制御方法を説明すれば次のようである。
【０１８９】
この際、図１４〜図１６は図３に示した本発明の第２実施例によるＬＥＤ駆動制御装置１０ｂを多段（ｎ−ｓｔｅｐ）で構成する場合、それぞれの駆動電流を制御して垂直合算方式で正弦波電流を生成することを説明するためのもので、図１４に示したように、交流電源１１０から供給される入力電圧が正で、前記入力電圧が徐々に増加してｎ個のＬＥＤの順方向電圧（ｎ＊Ｖｆ）より高くなれば、駆動制御部１５０には交流電源１１０から供給された後、整流部１４０のダイオード対（ＢＤ０、ＢＤｎ＋１）を通過した定電流ｉＤ０が流れることができる。（図１４の丸１）
【０１９０】
前記入力電圧が高くなってｎ＋１個のＬＥＤの順方向電圧（（ｎ＋１）＊Ｖｆ）より高くなれば、駆動制御部１５０には交流電源１１０から供給された後に整流部１４０のダイオード対（ＢＤ１、ＢＤｎ＋１）を通過した定電流ｉＤ１が流れることができる。（図１４の丸２）
【０１９１】
この際、駆動制御部１５０に定電流ｉＤ１が流れる場合、先に説明したように駆動制御部１５０が動作して定電流ｉＤ０が流れないように制御することができる。
【０１９２】
そして、前記入力電圧が高くなって２ｎ個のＬＥＤの順方向電圧（２ｎ＊Ｖｆ）より高くなれば、駆動制御部１５０には交流電源１１０から供給された後に整流部１４０のダイオード対（ＢＤｎ、ＢＤｎ＋１）を通過した定電流ｉＤｎが流れることができる。（図１４の丸３）
【０１９３】
この際、駆動制御部１５０に定電流ｉＤｎが流れる場合、先に説明したように駆動制御部１５０が動作して定電流ｉＤｎを除いた残りの電流（ｉＤ０〜ｉＤｎ−１）が流れないように制御することができる。
【０１９４】
言い替えれば、流れる時間の観点で見るとき、交流電源１１０から供給される入力電圧が正の半周期の場合、第１ＬＥＤアレイ１２０と第２ＬＥＤアレイ１３０を駆動させる主電流はｉＤｎであり、残りの電流（ｉＤ０〜ｉＤｎ−１）は力率を改善するための補助電流の役目をすることができるようになる。
【０１９５】
ついで、図１５に示したように、交流電源１１０から供給される入力電圧が負で、前記入力電圧が徐々に増加してｎ個のＬＥＤの順方向電圧（ｎ＊Ｖｆ）より高くなれば、駆動制御部１５０には交流電源１１０から供給された後に整流部１４０のダイオード対（ＢＤ０、ＢＤｎ＋１）を通過した定電流ｉＤ０が流れることができる。（図１５の丸４）
【０１９６】
前記入力電圧が高くなってｎ＋１個のＬＥＤの順方向電圧（（ｎ＋１）＊Ｖｆ）より高くなれば、駆動制御部１５０には交流電源１１０から供給された後に整流部１４０のダイオード対（ＢＤ１、ＢＤｎ＋１）を通過した定電流ｉＤ１が流れることができる。（図１５の丸５）
【０１９７】
この際、駆動制御部１５０に定電流ｉＤ１が流れる場合、先に説明したように駆動制御部１５０が動作して定電流ｉＤ０は流れないように制御することができる。
【０１９８】
そして、前記入力電圧が高くなって２ｎ個のＬＥＤの順方向電圧（２ｎ＊Ｖｆ）より高くなれば、駆動制御部１５０には交流電源１１０から供給された後に整流部１４０のダイオード対（ＢＤｎ、ＢＤｎ＋１）を通過した定電流ｉＤｎが流れることができる。（図１５の丸６）
【０１９９】
この際、駆動制御部１５０に定電流ｉＤｎが流れる場合、先に説明したように駆動制御部１５０が動作して残りの電流（ｉＤ０〜ｉＤｎ−１）が流れないように制御することができる。
【０２００】
言い替えれば、流れる時間の観点で見るとき、交流電源１１０から供給される入力電圧が負の半周期の場合、第１ＬＥＤアレイ１２０と第２ＬＥＤアレイ１３０を駆動させる主電流はｉＤｎであり、残りの電流（ｉＤ０〜ｉＤｎ−１）は力率を改善するための補助電流の役目をすることができるようになる。
【０２０１】
したがって、本発明の第１実施例による駆動電流制御方法によれば、全体電流は図１６の（ａ）に示した垂直合算方式によって図１６の（ｂ）に示したｎ−ｓｔｅｐの正弦波に近い電流が作われることができ、それぞれの電流は図１３に示した駆動制御部１５０の制御によってもっと精密な定電流に制御されるので、入力電圧が変わる場合にもフリッカー発生が多少抑制されることができ、定電流機能が付け加われば、フリッカーの発生はまったく抑制されることができる。
【０２０２】
また、それぞれの電流は図１３に示した駆動制御部１５０の制御によって選択的に定電力制御が可能であり、その場合、正格電圧以上での損失を減らすことができる。
【０２０３】
図１７及び図１８は本発明の第２実施例による駆動電流制御方法についての参考回路図、図１９は本発明の第２実施例による駆動電流制御方法に電流−電圧波形のグラフである。
【０２０４】
図１７〜図１９は図３に示した本発明の第２実施例によるＬＥＤ駆動制御装置１０ｂを多段（ｎ−ｓｔｅｐ）で構成する場合、それぞれの駆動電流を制御して水平合算方式で正弦波電流を生成することを説明するためのもので、図１７に示したように、交流電源１１０から供給される入力電圧が正で、前記入力電圧が徐々に増加してｎ個のＬＥＤの順方向電圧（ｎ＊Ｖｆ）より高くなれば、駆動制御部１５０には交流電源１１０から供給された後に整流部１４０のダイオード対（ＢＤ０、ＢＤｎ＋１）を通過した入力電流ｉＤ０が流れることができる。（図１７の丸１）
【０２０５】
前記入力電圧が高くなってｎ＋１個のＬＥＤの順方向電圧（（ｎ＋１）＊Ｖｆ）より高くなれば、駆動制御部１５０には交流電源１１０から供給された後に整流部１４０のダイオード対（ＢＤ１、ＢＤｎ＋１）を通過した入力電流ｉＤ１が流れることができる。（図１７の丸２）
【０２０６】
この際、駆動制御部１５０に入力電流ｉＤ１が流れる場合にも、先に説明したように駆動制御部１５０が動作して入力電流ｉＤ０がずっと流れるように制御することができる。
【０２０７】
そして、前記入力電圧が高くなって２ｎ個のＬＥＤの順方向電圧（２ｎ＊Ｖｆ）より高くなれば、駆動制御部１５０には交流電源１１０から供給された後に整流部１４０のダイオード対（ＢＤｎ、ＢＤｎ＋１）を通過した入力電流ｉＤｎが流れることができる。（図１７の丸３）
【０２０８】
この際、駆動制御部１５０に入力電流ｉＤｎが流れる場合、先に説明したように駆動制御部１５０が動作して入力電流ｉＤｎを除いた残りの入力電流（ｉＤ０〜ｉＤｎ−１）もずっと流れるように制御することができる。
【０２０９】
言い替えれば、流れる時間の観点で見るとき、交流電源１１０から供給される入力電圧が正の半周期の場合、第１ＬＥＤアレイ１２０と第２ＬＥＤアレイ１３０を駆動させる主電流はｉＤ０であり、残りの電流（ｉＤ１〜ｉＤｎ）は力率を改善するための補助電流の役目をすることができるようになる。
【０２１０】
ついで、図１８に示したように、交流電源１１０から供給される入力電圧が負で、前記入力電圧が徐々に増加してｎ個のＬＥＤの順方向電圧（ｎ＊Ｖｆ）より高くなれば、駆動制御部１５０には交流電源１１０から供給された後に整流部１４０のダイオード対（ＢＤ０、ＢＤｎ＋１）を通過した入力電流ｉＤ０が流れることができる。（図１８の丸４）
【０２１１】
前記入力電圧が高くなってｎ＋１個のＬＥＤの順方向電圧（（ｎ＋１）＊Ｖｆ）より高くなれば、駆動制御部１５０には交流電源１１０から供給された後に整流部１４０のダイオード対（ＢＤ１、ＢＤｎ＋１）を通過した入力電流ｉＤ１が流れることができる。（図１８の丸５）
【０２１２】
この際、駆動制御部１５０に入力電流ｉＤ１が流れる場合、先に説明したように駆動制御部１５０が動作して入力電流ｉＤ０がずっと流れるように制御することができる。
【０２１３】
そして、前記入力電圧が高くなって２ｎ個のＬＥＤの順方向電圧（２ｎ＊Ｖｆ）より高くなれば、駆動制御部１５０には交流電源１１０から供給された後に整流部１４０のダイオード対（ＢＤｎ、ＢＤｎ＋１）を通過した入力電流ｉＤｎが流れることができる。（図１８の丸６）
【０２１４】
この際、駆動制御部１５０に入力電流ｉＤｎが流れる場合、先に説明したように駆動制御部１５０が動作して入力電流ｉＤｎを除いた残りの電流（ｉＤ０〜ｉＤｎ−１）もずっと流れるように制御することができる。
【０２１５】
言い替えれば、流れる時間の観点で見るとき、交流電源１１０から供給される入力電圧が負の半周期の場合、第１ＬＥＤアレイ１２０と第２ＬＥＤアレイ１３０を駆動させる主電流はｉＤ０であり、残りの電流（ｉＤ１〜ｉＤｎ）は力率を改善するための補助電流の役目をすることができるようになる。
【０２１６】
したがって、本発明の第２実施例による駆動電流制御方法によれば、全体電流は図１９の（ａ）に示した水平合算方式によって図１９の（ｂ）に示したｎ−ｓｔｅｐの正弦波に近い電流が作われることができ、それぞれの電流は図１３に示した駆動制御部１５０によってもっと精密な定電流に制御されるので、入力電圧が変わる場合にもフリッカー発生が多少抑制されることができ、定電流機能が付け加われば、フリッカー発生はまったく抑制されることができる。
【０２１７】
また、それぞれの電流は図１３に示した駆動制御部１５０の制御によって選択的に定電力制御が可能であり、その場合、正格電圧以上での損失を減らすことができる。
【０２１８】
図２０は本発明の第３実施例による駆動電流制御方法についての参考回路図、図２１は本発明の第３実施例による駆動電流制御方法による電流−電圧波形のグラフである。
【０２１９】
図２０及び図２１を参照して本発明の第３実施例による駆動電流制御方法を説明すれば次のようである。
【０２２０】
図２０及び図２１は図３に示した本発明の第２実施例によるＬＥＤ駆動制御装置１０ｂを多段（ｎ−ｓｔｅｐ）で構成する場合、それぞれの駆動電流を制御して垂直合算と水平合算が混合した方式で正弦波電流を生成することを説明するためのもので、図２０に示したように、交流電源１１０から供給される入力電圧が正で、前記入力電圧が徐々に増加してｎ個のＬＥＤの順方向電圧（ｎ＊Ｖｆ）より高くなれば、駆動制御部１５０には交流電源１１０から供給された後に整流部１４０のダイオード対（ＢＤ０、ＢＤｎ＋１）を通過した入力電流ｉＤ０が流れることができる。（図２０の丸１）
【０２２１】
前記入力電圧が高くなってｎ＋１個のＬＥＤの順方向電圧（（ｎ＋１）＊Ｖｆ）より高くなれば、駆動制御部１５０には交流電源１１０から供給された後に整流部１４０のダイオード対（ＢＤ１、ＢＤｎ＋１）を通過した入力電流ｉＤ１が流れることができる。（図２０の丸２）
【０２２２】
この際、駆動制御部１５０に入力電流ｉＤ１が流れる場合、先に説明したように駆動制御部１５０が動作して入力電流ｉＤ０も流れるように制御することができる。
【０２２３】
そして、前記入力電圧が高くなって２ｎ個のＬＥＤの順方向電圧（２ｎ＊Ｖｆ）より高くなれば、駆動制御部１５０には交流電源１１０から供給された後に整流部１４０のダイオード対（ＢＤｎ、ＢＤｎ＋１）を通過した入力電流ｉＤｎが流れることができる。（図２０の丸３）
【０２２４】
この際、駆動制御部１５０に入力電流ｉＤｎが流れる場合、先に説明したように駆動制御部１５０が動作して入力電流ｉＤｎを除いた残りの入力電流の中で一部入力電流（ｉＤＯ、ＩＤ１）は流れるように制御することができ、前記一部入力電流を除いた残りの入力電流（ｉＤＮ−２、ｉＤｎ−１）は流れないように制御することができる。
【０２２５】
言い替えれば、流れる時間の観点で見るとき、本発明の第３実施例による交流駆動ＬＥＤ装置の駆動方法によれば、第１ＬＥＤアレイ１２０と第２ＬＥＤアレイ１３０を駆動させる主電流はｉＤ０とｉＤＮであり、残りの電流（ｉＤ１、ｉＤＮ−２、ｉＤｎ−１）は力率を改善するための補助電流の役目をすることができるようになる。
【０２２６】
したがって、本発明の第３実施例による駆動電流制御方法によれば、全体電流は図２１の（ａ）に示した垂直及び水平合算方式の混合によって図２１の（ｂ）に示したｎ−ｓｔｅｐの正弦波に近い電流が作われることができ、それぞれの電流は図１４に示した駆動制御部１５０の制御によって定電流に制御されるので、入力電圧が変わる場合にもフリッカー発生が多少抑制されることができ、定電流機能が付け加われば、フリッカー発生はまったく抑制されることができる。
【０２２７】
以上の説明は本発明の技術思想を例示的に説明したものに過ぎないもので、本発明が属する技術分野で通常の知識を持った者であれば、本発明の本質的な特性から逸脱しない範囲内で多様な修正、変更、及び置換が可能であろう。したがって、本発明に開示された実施例及び添付図面は本発明の技術思想を限定するためのものではなく説明するためのもので、このような実施例及び添付図面によって本発明の技術思想の範囲が限定されるものではない。本発明の保護範囲は以降の請求範囲によって解釈されなければならなく、それと同等な範囲内にあるすべての技術思想は本発明の権利範囲に含まれるものに解釈されなければならない。
【図１】
0005820062.tif 000002
【図２】
0005820062.tif 000003
【図３】
0005820062.tif 000004
【図４（ａ）】
0005820062.tif 000005
【図４（ｂ）】
0005820062.tif 000006
【図５】
0005820062.tif 000007
【図６（ａ）】
0005820062.tif 000008
【図６（ｂ）】
0005820062.tif 000009
【図７】
0005820062.tif 000010
【図８（ａ）】
0005820062.tif 000011
【図８（ｂ）】
0005820062.tif 000012
【図９】
0005820062.tif 000013
【図１０（ａ）】
0005820062.tif 000014
【図１０（ｂ）】
0005820062.tif 000015
【図１１】
0005820062.tif 000016
【図１２（ａ）】
0005820062.tif 000017
【図１２（ｂ）】
0005820062.tif 000018
【図１３】
0005820062.tif 000019
【図１４】
0005820062.tif 000020
【図１５】
0005820062.tif 000021
【図１６（ａ）】
0005820062.tif 000022
【図１６（ｂ）】
0005820062.tif 000023
【図１７】
0005820062.tif 000024
【図１８】
0005820062.tif 000025
【図１９（ａ）】
0005820062.tif 000026
【図１９（ｂ）】
0005820062.tif 000027
【図２０】
0005820062.tif 000028
【図２１（ａ）】
0005820062.tif 000029
【図２１（ｂ）】
0005820062.tif 000030